(57)【要約】  本開示は、端末機器の能力情報処理方法、端末機器及びネットワーク側機器を提供する。この方法は、端末機器の能力情報のサイズがＰＤＣＰ  ＳＤＵのサイズの最大値よりも大きい場合に、第１のメッセージをネットワーク側機器に送信することを含み、そのうち、第１のメッセージは、端末機器の能力情報のサイズがＰＤＣＰ  ＳＤＵのサイズの最大値よりも大きいことを指示するための情報を含む、第１の情報を含む。
2022501963.tif 000002
【特許請求の範囲】
【請求項１】
端末機器に用いられる端末機器の能力情報処理方法であって、
端末機器の能力情報のサイズがパケットデータコンバージェンスプロトコルＰＤＣＰサービスデータユニットＳＤＵのサイズの最大値よりも大きい場合に、第１のメッセージをネットワーク側機器に送信することを含み、
そのうち、前記第１のメッセージは、前記端末機器の能力情報のサイズがＰＤＣＰ  ＳＤＵのサイズの最大値よりも大きいことを指示するための情報を含む、第１の情報を含む、端末機器の能力情報処理方法。
【請求項２】
報告方式に基づき、少なくとも一つのＰＤＣＰ  ＳＤＵを利用して前記端末機器の能力情報を伝送することをさらに含み、
そのうち、前記少なくとも一つのＰＤＣＰ  ＳＤＵのうちのいずれか一つのＰＤＣＰ  ＳＤＵに携帯されている能力情報は、前記端末機器の能力情報の一部である、請求項１に記載の方法。
【請求項３】
前記報告方式は、
無線リソース制御ＲＲＣメッセージセグメンテーションの方式を採用して、前記端末機器の能力情報の全てを報告すること、又は
前記端末機器の能力情報の一部を報告することを含む、請求項２に記載の方法。
【請求項４】
報告方式に基づき、少なくとも一つのＰＤＣＰ  ＳＤＵを利用して前記端末機器の能力情報を伝送する前に、前記方法は、
前記ネットワーク側機器によって送信される第２のメッセージを受信することをさらに含み、そのうち、前記第２のメッセージは、前記報告方式を指示するための第２の情報を含む、請求項２に記載の方法。
【請求項５】
前記第２のメッセージには、能力リクエスト情報がさらに携帯されている、請求項４に記載の方法。
【請求項６】
前記第１のメッセージは、接続配置完了メッセージであり、又は
前記第１のメッセージは、ネットワーク側機器によって送信される能力リクエスト情報に応答して送信されたメッセージであり、又は
前記第１のメッセージは、前記端末機器によって前記ネットワーク側機器に送信される補助メッセージである、請求項１に記載の方法。
【請求項７】
前記第１のメッセージが、ネットワーク側機器によって送信される能力リクエスト情報に応答して送信されたメッセージである場合に、前記第１のメッセージには、前記端末機器の能力情報の一部がさらに携帯されている、請求項６に記載の方法。
【請求項８】
前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である、請求項１〜７のいずれか１項に記載の方法。
【請求項９】
前記第１の情報は、
前記端末機器の能力情報のサイズ、及び
前記端末機器がＲＲＣメッセージセグメンテーションをサポートすることを指示するための情報、のうちの少なくとも一つを含む、請求項１〜６のいずれか１項に記載の方法。
【請求項１０】
ネットワーク側機器に用いられる端末機器の能力情報処理方法であって、
端末機器によって送信される第１のメッセージを受信することを含み、
そのうち、前記第１のメッセージは、前記端末機器の能力情報のサイズがパケットデータコンバージェンスプロトコルＰＤＣＰサービスデータユニットＳＤＵのサイズの最大値よりも大きいことを指示するための情報を含む、第１の情報を含む、端末機器の能力情報処理方法。
【請求項１１】
前記端末機器によって報告方式に基づき少なくとも一つのＰＤＣＰ  ＳＤＵを利用して伝送された前記端末機器の能力情報を受信することをさらに含み、
そのうち、前記少なくとも一つのＰＤＣＰ  ＳＤＵのうちのいずれか一つのＰＤＣＰ  ＳＤＵに携帯されている能力情報は、前記端末機器の能力情報の一部である、請求項１０に記載の方法。
【請求項１２】
前記報告方式は、
無線リソース制御ＲＲＣメッセージセグメンテーションの方式を採用して、前記端末機器の能力情報の全てを報告すること、又は
前記端末機器の能力情報の一部を報告することを含む、請求項１１に記載の方法。
【請求項１３】
前記端末機器によって報告方式に基づき少なくとも一つのＰＤＣＰ  ＳＤＵを利用して伝送された前記端末機器の能力情報を受信する前に、前記方法は、
第２のメッセージを前記端末機器に送信することをさらに含み、そのうち、前記第２のメッセージは、前記報告方式を指示するための第２の情報を含む、請求項１１に記載の方法。
【請求項１４】
前記第２のメッセージには、能力リクエスト情報がさらに携帯されている、請求項１３に記載の方法。
【請求項１５】
前記第１のメッセージは、接続配置完了メッセージであり、又は
前記第１のメッセージは、前記端末機器によって前記ネットワーク側機器に送信される補助メッセージである、請求項１０に記載の方法。
【請求項１６】
前記端末機器によって送信される第１のメッセージを受信する前に、前記方法は、
能力リクエスト情報を前記端末機器に送信することをさらに含み、
そのうち、前記第１のメッセージは、前記能力リクエスト情報に応答して送信されたメッセージである、請求項１０に記載の方法。
【請求項１７】
前記第１のメッセージには、前記端末機器の能力情報の一部がさらに携帯されている、請求項１６に記載の方法。
【請求項１８】
前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である、請求項１０〜１７のいずれか１項に記載の方法。
【請求項１９】
前記第１の情報は、
前記端末機器の能力情報のサイズ、及び
前記端末機器が無線リソース制御ＲＲＣメッセージセグメンテーションをサポートすることを指示するための情報、のうちの少なくとも一つを含む、請求項１０〜１６のいずれか１項に記載の方法。
【請求項２０】
端末機器であって、
端末機器の能力情報のサイズがパケットデータコンバージェンスプロトコルＰＤＣＰサービスデータユニットＳＤＵのサイズの最大値よりも大きい場合に、第１のメッセージをネットワーク側機器に送信するための送信モジュールを含み、
そのうち、前記第１のメッセージは、前記端末機器の能力情報のサイズがＰＤＣＰ  ＳＤＵのサイズの最大値よりも大きいことを指示するための情報を含む、第１の情報を含む、端末機器。
【請求項２１】
報告方式に基づき、少なくとも一つのＰＤＣＰ  ＳＤＵを利用して前記端末機器の能力情報を伝送するための伝送モジュールをさらに含み、
そのうち、前記少なくとも一つのＰＤＣＰ  ＳＤＵのうちのいずれか一つのＰＤＣＰ  ＳＤＵに携帯されている能力情報は、前記端末機器の能力情報の一部である、請求項２０に記載の端末機器。
【請求項２２】
前記報告方式は、
無線リソース制御ＲＲＣメッセージセグメンテーションの方式を採用して、前記端末機器の能力情報の全てを報告すること、又は
前記端末機器の能力情報の一部を報告することを含む、請求項２１に記載の端末機器。
【請求項２３】
報告方式に基づき、少なくとも一つのＰＤＣＰ  ＳＤＵを利用して前記端末機器の能力情報を伝送する前に、前記ネットワーク側機器によって送信される第２のメッセージを受信するための受信モジュールをさらに含み、そのうち、前記第２のメッセージは、前記報告方式を指示するための第２の情報を含む、請求項２２に記載の端末機器。
【請求項２４】
前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である、請求項２０〜２３のいずれか１項に記載の端末機器。
【請求項２５】
ネットワーク側機器であって、
端末機器によって送信される第１のメッセージを受信するための第１の受信モジュールを含み、
そのうち、前記第１のメッセージは、前記端末機器の能力情報のサイズがパケットデータコンバージェンスプロトコルＰＤＣＰサービスデータユニットＳＤＵのサイズの最大値よりも大きいことを指示するための情報を含む、第１の情報を含む、ネットワーク側機器。
【請求項２６】
前記端末機器によって報告方式に基づき少なくとも一つのＰＤＣＰ  ＳＤＵを利用して伝送された前記端末機器の能力情報を受信するための第２の受信モジュールをさらに含み、
そのうち、前記少なくとも一つのＰＤＣＰ  ＳＤＵのうちのいずれか一つのＰＤＣＰ  ＳＤＵに携帯されている能力情報は、前記端末機器の能力情報の一部である、請求項２５に記載のネットワーク側機器。
【請求項２７】
前記報告方式は、
無線リソース制御ＲＲＣメッセージセグメンテーションの方式を採用して、前記端末機器の能力情報の全てを報告すること、又は
前記端末機器の能力情報の一部を報告することを含む、請求項２６に記載のネットワーク側機器。
【請求項２８】
第２のメッセージを前記端末機器に送信するための第１の送信モジュールをさらに含み、そのうち、前記第２のメッセージは、前記報告方式を指示するための第２の情報を含む、請求項２６に記載のネットワーク側機器。
【請求項２９】
前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である、請求項２５〜２８のいずれか１項に記載のネットワーク側機器。
【請求項３０】
端末機器であって、
プロセッサと、メモリと、前記メモリに記憶されており、且つ前記プロセッサで運行できるプログラムとを含み、前記プログラムが前記プロセッサによって実行される時、請求項１〜９のいずれか１項に記載の端末機器の能力情報処理方法のステップを実現する、端末機器。
【請求項３１】
ネットワーク側機器であって、
プロセッサと、メモリと、前記メモリに記憶されており、且つ前記プロセッサで運行できるプログラムとを含み、前記プログラムが前記プロセッサによって実行される時、請求項１０〜１９のいずれか１項に記載の端末機器の能力情報処理方法のステップを実現する、ネットワーク側機器。
【請求項３２】
コンピュータ可読記憶媒体であって、前記コンピュータ可読記憶媒体にはプログラムが記憶されており、前記プログラムがプロセッサによって実行される時、請求項１〜９のいずれか１項に記載の端末機器の能力情報処理方法のステップを実現するか、又は請求項１０〜１９のいずれか１項に記載の端末機器の能力情報処理方法のステップを実現する、コンピュータ可読記憶媒体。
【発明の詳細な説明】
【技術分野】
【０００１】
（関連出願の相互参照）
本出願は、２０１８年９月２７日に中国で提出された中国特許出願番号Ｎｏ．２０１８１１１３２６３９．Ｘの優先権を主張しており、同出願の内容の全ては、ここに参照として取り込まれる。
本開示は、通信技術分野に関し、特に端末機器の能力情報処理方法、端末機器及びネットワーク側機器に関する。
【背景技術】
【０００２】
将来の移動通信システム（例えば、第５世代（５ｔｈ  ｇｅｎｅｒａｔｉｏｎ、５Ｇ）通信システム）において、ネットワーク側は、ユーザ機器（Ｕｓｅｒ  Ｅｑｕｉｐｍｅｎｔ、ＵＥ）の能力に基づき、エアインターフェース接続をＵＥにより良く配置するために、ネットワーク側は、能力リクエスト情報をＵＥに送信し、ＵＥは、ネットワーク側によって送信される能力リクエスト情報に基づき、ＵＥの能力情報をネットワーク側に報告し、例えば、ＵＥ能力情報（すなわち、ＵＥ  Ｃａｐａｂｉｌｉｔｙ  Ｉｎｆｏｒｍａｔｉｏｎ）メッセージによってＵＥの能力情報を報告する。実際には、一般的には、パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）サービスデータユニット（Ｓｅｒｖｉｃｅ  Ｄａｔａ  Ｕｎｉｔ、ＳＤＵ）を利用してＵＥの能力情報を伝送する。しかしながら、関連技術では、ＵＥによって報告される必要がある能力情報が、ＰＤＣＰ  ＳＤＵのサイズの最大値を超えている場合に、ＵＥの能力情報に関連する処理をどのように行うかについては、まだ関連解決策がない。
【発明の概要】
【発明が解決しようとする課題】
【０００３】
本開示の実施例は、端末機器の能力情報処理方法、端末機器及びネットワーク側機器を提供する。それは、ＵＥによって報告される必要がある能力情報がＰＤＣＰ  ＳＤＵのサイズの最大値を超えている場合に、ＵＥの能力情報に関する処理方式を提供するために用いられるものである。それによって、ＵＥによって報告される必要がある能力情報のサイズがＰＤＣＰ  ＳＤＵのサイズの最大値を超えている場合に、ＵＥの能力情報に関する処理方式を規範化する。
【０００４】
上記技術的課題を解決するために、本開示は、以下のように実現される。
【課題を解決するための手段】
【０００５】
第１の態様によれば、本開示の実施例は、端末機器に用いられる端末機器の能力情報処理方法を提供する。この方法は、
端末機器の能力情報のサイズがＰＤＣＰ  ＳＤＵのサイズの最大値よりも大きい場合に、第１のメッセージをネットワーク側機器に送信することを含み、
そのうち、前記第１のメッセージは、前記端末機器の能力情報のサイズがＰＤＣＰ  ＳＤＵのサイズの最大値よりも大きいことを指示するための情報を含む、第１の情報を含む。
【０００６】
第２の態様によれば、本開示の実施例は、ネットワーク側機器に用いられる端末機器の能力情報処理方法をさらに提供する。この方法は、
端末機器によって送信される第１のメッセージを受信することを含み、
そのうち、前記第１のメッセージは、前記端末機器の能力情報のサイズがＰＤＣＰ  ＳＤＵのサイズの最大値よりも大きいことを指示するための情報を含む、第１の情報を含む。
【０００７】
第３の態様によれば、本開示の実施例は、端末機器をさらに提供する。この端末機器は、
端末機器の能力情報のサイズがＰＤＣＰ  ＳＤＵのサイズの最大値よりも大きい場合に、第１のメッセージをネットワーク側機器に送信するための送信モジュールを含み、
そのうち、前記第１のメッセージは、前記端末機器の能力情報のサイズがＰＤＣＰ  ＳＤＵのサイズの最大値よりも大きいことを指示するための情報を含む、第１の情報を含む。
【０００８】
第４の態様によれば、本開示の実施例は、ネットワーク側機器をさらに提供する。このネットワーク側機器は、
端末機器によって送信される第１のメッセージを受信するための第１の受信モジュールを含み、
そのうち、前記第１のメッセージは、前記端末機器の能力情報のサイズがＰＤＣＰ  ＳＤＵのサイズの最大値よりも大きいことを指示するための情報を含む、第１の情報を含む。
【０００９】
第５の態様によれば、本開示の実施例は、端末機器をさらに提供する。プロセッサと、メモリと、前記メモリに記憶されており、且つ前記プロセッサで運行できるプログラムとを含み、前記プログラムが前記プロセッサによって実行される時、上記第１の態様による端末機器の能力情報処理方法のステップを実現する。
【００１０】
第６の態様によれば、本開示の実施例は、ネットワーク側機器をさらに提供する。プロセッサと、メモリと、前記メモリに記憶されており、且つ前記プロセッサで運行できるプログラムとを含み、前記プログラムが前記プロセッサによって実行される時、上記第２の態様による端末機器の能力情報処理方法のステップを実現する。
【００１１】
第７の態様によれば、本開示の実施例は、コンピュータ可読記憶媒体をさらに提供する。前記コンピュータ可読記憶媒体にプログラムが記憶されており、前記プログラムがプロセッサによって実行される時、上記第１の態様による端末機器の能力情報処理方法のステップ、又は上記第２の態様による端末機器の能力情報処理方法のステップを実現する。
【００１２】
本開示の実施例において、端末機器の能力情報のサイズがＰＤＣＰ  ＳＤＵのサイズの最大値よりも大きい場合に、第１のメッセージをネットワーク側機器に送信し、そのうち、前記第１のメッセージは、前記端末機器の能力情報のサイズがＰＤＣＰ  ＳＤＵのサイズの最大値よりも大きいことを指示するための情報を含む、第１の情報を含む。それによって、ＵＥによって報告される必要がある能力情報のサイズがＰＤＣＰ  ＳＤＵのサイズの最大値を超えている場合に、前記端末機器の能力情報のサイズがＰＤＣＰ  ＳＤＵのサイズの最大値よりも大きいことをネットワーク側機器へ指示することを実現することができる。それによって、ＵＥによって報告される必要がある能力情報のサイズがＰＤＣＰ  ＳＤＵのサイズの最大値を超えている場合に、ＵＥの能力情報に関する処理方式を規範化することができる。
【００１３】
本開示の実施例の技術案をより明確に説明するために、以下では、本開示の実施例の記述において使用される必要がある添付図面を簡単に説明するが、明らかに、以下の記述における添付図面は、本開示のいくつかの実施例に過ぎず、当業者にとって、創造的な労力を払わない前提で、これらの添付図面に基づき、他の添付図面を得ることができる。
【図面の簡単な説明】
【００１４】
【図１】関連技術による初期アクセス及びＵＥ能力報告のフローチャートである。
【図２】本開示の実施例が応用可能なネットワークシステムの構造図である。
【図３】本開示の実施例による端末機器の能力情報処理方法のフローチャートである。
【図４】本開示の実施例による別の端末機器の能力情報処理方法のフローチャートである。
【図５】本開示の実施例による別の端末機器の能力情報処理方法のフローチャートである。
【図６】本開示の実施例による別の端末機器の能力情報処理方法のフローチャートである。
【図７】本開示の実施例による別の端末機器の能力情報処理方法のフローチャートである。
【図８】本開示の実施例による端末機器の構造図である。
【図９】本開示の実施例によるネットワーク側機器の構造図である。
【図１０】本開示の実施例による別の端末機器の構造図である。
【図１１】本開示の実施例による別のネットワーク側機器の構造図である。
【発明を実施するための形態】
【００１５】
以下では、本開示の実施例における添付図面を結び付けながら、本開示の実施例における技術案を明瞭且つ完全に記述する。明らかに、記述された実施例は、本開示の一部の実施例であり、全部の実施例ではない。本開示における実施例に基づき、当業者が創造的な労力を払わない前提で得られたすべての他の実施例は、いずれも本開示の保護範囲内に属する。
【００１６】
理解の便宜上、本開示の実施例に係るいくつかの用語を以下のように説明する。
【００１７】
初期アクセス及びＵＥ能力報告：
図１を参照して、初期アクセス及びＵＥ能力報告は、以下のようなステップを含んでもよい。
【００１８】
ステップ１０１：ＵＥは、接続確立プロセスを発起し、且つランダムアクセスプロセスを発起し、プリアンブル（すなわち、Ｐｒｅａｍｂｌｅ）が携帯されているＭｓｇ１を送信する。
【００１９】
ステップ１０２：ネットワーク側機器は、ＵＥによって送信されるＭｓｇ１に基づき、ランダムアクセス応答（Ｒａｎｄｏｍ  Ａｃｃｅｓｓ  Ｒｅｓｐｏｎｓｅ、ＲＡＲと略称される）が携帯されているＭｓｇ２を送信し、そのうち、Ｍｓｇ２には、Ｍｓｇ３の送信のための上りリンクリソースが携帯されている。
【００２０】
ステップ１０３：ＵＥは、Ｍｓｇ２において割り当てられるリソースに基づき、Ｍｓｇ３の送信を行う。
例えば、５ＧシステムのＲＲＣ確立リクエスト（すなわち、ＲＲＣＳｅｔｕｐＲｅｑｕｅｓｔ）メッセージ、又は第４世代（４ｔｈ  ｇｅｎｅｒａｔｉｏｎ、４Ｇ）ロングタームエボリューション（Ｌｏｎｇ  Ｔｅｒｍ  Ｅｖｏｌｕｔｉｏｎ、ＬＴＥ）システムのＲＲＣ接続リクエスト（すなわち、ＲＲＣＣｏｎｎｅｃｔｉｏｎＲｅｑｕｅｓｔ）メッセージである。
【００２１】
ステップ１０４：ネットワーク側機器は、ＵＥによって送信されるＭｓｇ３に基づき、ランダムアクセスプロセスのＭｓｇ４をＵＥに送信する。
具体的には、ＵＥは、競合解決に成功すると、相応なＲＲＣ接続を確立する。例えば、ネットワーク側機器は、競合解決メッセージをＵＥに送信する。それとともに、５Ｇシステムに対して、Ｍｓｇ４には、ＲＲＣ確立（すなわち、ＲＲＣＳｅｔｕｐ）メッセージが携帯されており、４Ｇ  ＬＴＥシステムに対して、Ｍｓｇ４には、ＲＲＣ接続確立（すなわち、ＲＲＣＣｏｎｎｅｃｔｉｏｎＳｅｔｕｐ）メッセージが携帯されている。
【００２２】
ステップ１０５：ＵＥは、ネットワーク側機器によって配信される接続配置メッセージを実行した後、接続配置完了メッセージをネットワーク側にフィードバックする。
【００２３】
例えば、５Ｇシステムにおいて、接続配置完了メッセージは、ＲＲＣ確立完了（すなわち、ＲＲＣＳｅｔｕｐＣｏｍｐｌｅｔｅ）メッセージであってもよい。４Ｇ  ＬＴＥシステムにおいて、接続配置完了メッセージは、ＲＲＣ接続確立完了（すなわち、ＲＲＣＣｏｎｎｅｃｔｉｏｎＳｅｔｕｐＣｏｍｐｌｅｔｅ）メッセージであってもよい。
【００２４】
ステップ１０６：ネットワーク側機器は、能力リクエスト情報をＵＥに送信する。
このステップにおいて、ネットワーク側機器は、ＵＥの能力に基づき、エアインターフェース接続をＵＥにより良く配置するために、能力リクエスト情報、例えば、ＵＥ能力リクエスト（すなわち、ＵＥＣａｐａｂｉｌｉｔｙＥｎｑｕｉｒｙ）メッセージをＵＥに送信する。
【００２５】
ステップ１０７：ＵＥは、ネットワーク側のリクエスト情報に基づき、ＵＥの能力情報をネットワーク側に報告する。
例えば、ＵＥ能力情報（すなわち、ＵＥＣａｐａｂｉｌｉｔｙＩｎｆｏｒｍａｔｉｏｎ）メッセージによって、ＵＥの能力情報を報告する。
【００２６】
パケットデータコンバージェンスプロトコル（Ｐａｃｋｅｔ  Ｄａｔａ  Ｃｏｎｖｅｒｇｅｎｃｅ  Ｐｒｏｔｏｃｏｌ、ＰＤＣＰ）のデータパケットのサイズの概要：
例えば、４Ｇシステムにおいて、ＰＤＣＰレイヤのＰＤＣＰサービスデータユニット（Ｓｅｒｖｉｃｅ  Ｄａｔａ  Ｕｎｉｔ、ＳＤＵ）のデータパケットのサイズの最大値は８１８８バイトである。５Ｇシステムにおいて、ＰＤＣＰレイヤのＰＤＣＰ  ＳＤＵのデータパケットのサイズの最大値は９０００バイトである。
【００２７】
ＲＲＣメッセージセグメンテーション：
ＲＲＣメッセージのサイズがＰＤＣＰ  ＳＤＵのサイズの最大値を超えている場合に、このＲＲＣメッセージを複数の小さなセグメントに分割してＰＤＣＰレイヤに送信して伝送する必要がある。各セグメントのサイズがＰＤＣＰ  ＳＤＵのサイズの最大値を超えない。
【００２８】
本開示の実施例は、端末機器の能力情報処理方法を提供する。図２を参照して、図２は、本開示の実施例が応用可能なネットワークシステムの構造図であり、図２に示すように、端末機器１１とネットワーク側機器１２とを含む。そのうち、端末機器１１は、携帯電話、タブレットパーソナルコンピューター（Ｔａｂｌｅｔ  Ｐｅｒｓｏｎａｌ  Ｃｏｍｐｕｔｅｒ）、ラップトップパーソナルコンピューター（Ｌａｐｔｏｐ  Ｃｏｍｐｕｔｅｒ）、パーソナルデジタルアシスタント（Ｐｅｒｓｏｎａｌ  Ｄｉｇｉｔａｌ  Ａｓｓｉｓｔａｎｔ、ＰＤＡと略称される）、モバイルインターネットデバイス（Ｍｏｂｉｌｅ  Ｉｎｔｅｒｎｅｔ  Ｄｅｖｉｃｅ、ＭＩＤ）又はウェアラブルデバイス（Ｗｅａｒａｂｌｅ  Ｄｅｖｉｃｅ）などの端末機器側機器であってもよい。説明すべきことは、本開示の実施例において、端末機器１１の具体的なタイプを限定しない。ネットワーク側機器１２は、例えば、マクロ基地局、ＬＴＥ  ｅＮＢ、５Ｇ  ＮＲ  ＮＢ、ｇＮＢなどの基地局であってもよく、ネットワーク側機器１２は、低パワーノード（Ｌｏｗ  Ｐｏｗｅｒ  Ｎｏｄｅ、ＬＰＮ）ｐｉｃｏ、ｆｅｍｔｏなどの従局であってもよい。又は、ネットワーク側機器１２は、アクセスポイント（Ａｃｃｅｓｓ  Ｐｏｉｎｔ、ＡＰ）であってもよい。基地局は、中央ユニット（Ｃｅｎｔｒａｌ  Ｕｎｉｔ、ＣＵ）と、この中央ユニットにより管理と制御される複数の伝送受信ポイント（Ｔｒａｎｓｍｉｓｓｉｏｎ  Ｒｅｃｅｐｔｉｏｎ  Ｐｏｉｎｔ、ＴＲＰ）とによって共同で構成されるネットワークノードであってもよい。なお、本開示の実施例において、ネットワーク側機器１２の具体的なタイプを限定しない。
【００２９】
本開示の実施例において、端末機器１１は、報告する必要がある端末機器の能力情報のサイズがＰＤＣＰ  ＳＤＵのサイズの最大値よりも大きいと判定した場合に、第１の情報を少なくとも含む第１のメッセージをネットワーク側機器１２に送信してもよい。そのうち、第１の情報は、前記端末機器の能力情報のサイズがＰＤＣＰ  ＳＤＵのサイズの最大値よりも大きいことを指示するための情報を含む。選択的に、上記第１の情報は、端末機器の能力情報のサイズ、及び前記端末機器が無線リソース制御ＲＲＣメッセージセグメンテーションをサポートすることを指示するための情報のうちの少なくとも一つをさらに含んでもよい。
【００３０】
選択的に、報告する必要がある端末機器の能力情報のサイズがＰＤＣＰ  ＳＤＵのサイズの最大値よりも大きいと判定した場合に、端末機器１１は、報告方式に基づき、少なくとも一つのＰＤＣＰ  ＳＤＵを利用して前記端末機器の能力情報を伝送してもよい。そのうち、前記少なくとも一つのＰＤＣＰ  ＳＤＵのうちのいずれか一つのＰＤＣＰ  ＳＤＵに携帯されている能力情報は、前記端末機器の能力情報の一部である。
【００３１】
例えば、報告方式が、無線リソース制御ＲＲＣメッセージセグメンテーションの方式を採用して、前記端末機器の能力情報の全てを報告することを指示する場合に、端末機器１１は、前記端末機器の能力情報をＲＲＣメッセージセグメンテーションした後に、報告してもよい。報告方式が、端末機器の能力情報の一部を報告することを指示する場合に、端末機器１１は、端末機器の能力情報の一部を直接報告してもよい。
【００３２】
なお、上記報告方式は、プロトコルによって予め定義されるものであってもよく、ネットワーク側機器によって配置されるものであってもよい。
【００３３】
選択的に、ネットワーク側機器１２は、第２の情報を少なくとも含む第２のメッセージを端末機器１１に送信してもよい。そのうち、第２の情報は、報告方式を指示するために用いられる。
【００３４】
選択的に、ネットワーク側機器１２は、第１の情報を受信すると、第１の情報に基づき、第２の情報を少なくとも含む第２のメッセージを端末機器１１に送信してもよい。
【００３５】
例えば、第１の情報には、前記端末機器が無線リソース制御ＲＲＣメッセージセグメンテーションをサポートすることを指示するための情報が含まれている場合に、ＲＲＣメッセージセグメンテーションの方式を採用して、端末機器の能力情報の全てをアップロードすることを端末機器１１へ指示する。第１の情報には、前記端末機器が無線リソース制御ＲＲＣメッセージセグメンテーションをサポートすることを指示するための情報が含まれていない場合、又は、前記端末機器がＲＲＣメッセージセグメンテーションをサポートしないことを指示するための情報が含まれている場合に、能力情報の一部を報告することを端末機器１１へ指示する。
【００３６】
端末機器１１は、第２のメッセージを受信すると、ネットワーク側機器１２によって指示される報告方式に基づき、能力情報の報告を行ってもよい。
【００３７】
なお、上記第１のメッセージと第２のメッセージは、関連技術における初期アクセス及びＵＥ能力報告プロセスにおける既存のメッセージであってもよく、追加的に送信されるメッセージであってもよい。本開示の実施例は、それを限定しない。
【００３８】
本開示の実施例において、前記端末機器の能力情報のサイズがＰＤＣＰ  ＳＤＵのサイズの最大値よりも大きい場合に、第１のメッセージをネットワーク側機器に送信し、そのうち、前記第１のメッセージは、前記端末機器の能力情報のサイズがＰＤＣＰ  ＳＤＵのサイズの最大値よりも大きいことを指示するための情報を含む、第１の情報を含む。それによって、ＵＥによって報告される必要がある能力情報のサイズがＰＤＣＰ  ＳＤＵのサイズの最大値を超えている場合に、前記端末機器の能力情報のサイズがＰＤＣＰ  ＳＤＵのサイズの最大値よりも大きいことをネットワーク側機器へ指示することを実現することができる。それによって、ＵＥによって報告される必要がある能力情報のサイズがＰＤＣＰ  ＳＤＵのサイズの最大値を超えている場合に、ＵＥの能力情報に関する処理方式を規範化することができる。
【００３９】
本開示の実施例は、端末機器に用いられる端末機器の能力情報処理方法を提供する。図３を参照して、図３は、本開示の実施例による端末機器の能力情報処理方法のフローチャートである。図３に示すように、以下のステップを含む。
ステップ３０１：端末機器の能力情報のサイズがＰＤＣＰ  ＳＤＵのサイズの最大値よりも大きい場合に、第１のメッセージをネットワーク側機器に送信する。
そのうち、前記第１のメッセージは、前記端末機器の能力情報のサイズがＰＤＣＰ  ＳＤＵのサイズの最大値よりも大きいことを指示するための情報を含む、第１の情報を含む。
【００４０】
本開示の実施例において、上述した、前記端末機器の能力情報のサイズがＰＤＣＰ  ＳＤＵのサイズの最大値よりも大きいことを指示するための情報は、前記端末機器の能力情報のサイズがＰＤＣＰ  ＳＤＵのサイズの最大値よりも大きいことを明示的に指示する情報であってもよく、例えば、一つの予め設定された指示ビットによって、前記端末機器の能力情報のサイズがＰＤＣＰ  ＳＤＵのサイズの最大値よりも大きいことを指示してもよい。前記端末機器の能力情報のサイズがＰＤＣＰ  ＳＤＵのサイズの最大値よりも大きいことを暗示的に指示する情報であってもよく、例えば、端末機器の能力情報のサイズ、端末機器の能力情報のサイズとＰＤＣＰ  ＳＤＵのサイズの最大値との差分値などであってもよい。ネットワーク側機器は、一旦この情報を受信したら、前記端末機器の能力情報のサイズがＰＤＣＰ  ＳＤＵのサイズの最大値よりも大きいと確認する。
【００４１】
具体的には、端末機器の能力情報のサイズがＰＤＣＰ  ＳＤＵのサイズの最大値よりも大きい場合に、端末機器は、第１の情報が携帯されている第１のメッセージをネットワーク側機器に送信し、前記第１の情報は少なくとも、前記端末機器の能力情報のサイズがＰＤＣＰ  ＳＤＵのサイズの最大値よりも大きいことを指示するための情報を含む。それによって、前記端末機器の能力情報のサイズがＰＤＣＰ  ＳＤＵのサイズの最大値よりも大きいことをネットワーク側機器に通知することにより、ネットワーク側機器は、相応な処理を行いやすくなる。例えば、能力情報の報告方式を端末機器へ指示する。
【００４２】
なお、上記第１のメッセージは、関連技術における初期アクセス及びＵＥ能力報告プロセスにおける既存のメッセージであってもよく、追加的に送信されるメッセージ（すなわち、補助メッセージ）であってもよい。本開示の実施例は、それを限定しない。
【００４３】
選択的に、前記第１の情報は、
前記端末機器の能力情報のサイズ、及び
前記端末機器がＲＲＣメッセージセグメンテーションをサポートすることを指示するための情報、のうちの少なくとも一つをさらに含んでもよい。
【００４４】
本開示の実施例において、上記端末機器の能力情報のサイズは、端末機器によって報告される必要がある合計能力情報のサイズであってもよい。
【００４５】
選択的に、ネットワーク側機器は、第１の情報に基づき、端末機器によって能力情報が報告される方式を配置してもよい。例えば、第１の情報が端末機器の能力情報のサイズを含む場合に、ネットワーク側機器は、端末機器の能力情報のサイズに基づき、ＲＲＣメッセージセグメンテーションのパラメータ、例えば、セグメント長さなどを配置してもよい。第１の情報が、前記端末機器がＲＲＣメッセージセグメンテーションをサポートすることを指示するための情報を含む場合に、ＲＲＣメッセージセグメンテーションの方式を採用して、端末機器の能力情報などを報告するように端末機器へ指示する。
【００４６】
本開示の実施例による端末機器の能力情報処理方法は、端末機器の能力情報のサイズがＰＤＣＰ  ＳＤＵのサイズの最大値よりも大きい場合に、第１のメッセージをネットワーク側機器に送信し、そのうち、前記第１のメッセージは、前記端末機器の能力情報のサイズがＰＤＣＰ  ＳＤＵのサイズの最大値よりも大きいことを指示するための情報を含む、第１の情報を含む。それによって、ＵＥによって報告される必要がある能力情報のサイズがＰＤＣＰ  ＳＤＵのサイズの最大値を超えている場合に、前記端末機器の能力情報のサイズがＰＤＣＰ  ＳＤＵのサイズの最大値よりも大きいことをネットワーク側機器へ指示することを実現することができ、それによって、ネットワーク側機器は、相応な処理を行いやすくなる。ＵＥによって報告される必要がある能力情報のサイズがＰＤＣＰ  ＳＤＵのサイズの最大値を超えている場合に、ＵＥの能力情報の処理方式を規範化することができる。
【００４７】
選択的に、前記方法は、
報告方式に基づき、少なくとも一つのＰＤＣＰ  ＳＤＵを利用して前記端末機器の能力情報を伝送することをさらに含んでもよく、
そのうち、前記少なくとも一つのＰＤＣＰ  ＳＤＵのうちのいずれか一つのＰＤＣＰ  ＳＤＵに携帯されている能力情報は、前記端末機器の能力情報の一部である。
【００４８】
本開示の実施例において、端末機器の能力情報のサイズがＰＤＣＰ  ＳＤＵのサイズの最大値よりも大きい場合に、一つのＰＤＣＰ  ＳＤＵによって端末機器の能力情報の全てを伝送することができない。この場合に、報告方式に基づき、少なくとも一つのＰＤＣＰ  ＳＤＵを利用して前記端末機器の能力情報を伝送してもよい。そのうち、前記少なくとも一つのＰＤＣＰ  ＳＤＵのうちのいずれか一つのＰＤＣＰ  ＳＤＵに携帯されている能力情報は、前記端末機器の能力情報の一部である。それによって、前記端末機器の能力情報のサイズがＰＤＣＰ  ＳＤＵのサイズの最大値よりも大きい場合に、依然として端末機器の能力情報の報告を行うことができることを確保する。
【００４９】
例えば、報告方式が無線リソース制御（Ｒａｄｉｏ  Ｒｅｓｏｕｒｃｅ  Ｃｏｎｔｒｏｌ、ＲＲＣ）メッセージセグメンテーションの方式を採用して、前記端末機器の能力情報の全てを報告することを指示する場合に、前記端末機器の能力情報をＲＲＣメッセージセグメンテーションした後に、報告してもよい。報告方式が、端末機器の能力情報の一部を報告することを指示する場合に、端末機器の能力情報の一部を直接報告してもよい。
【００５０】
選択的に、上記報告方式は、プロトコルによって予め定義されるものであってもよく、ネットワーク側機器によって配置されるものであってもよい。
【００５１】
なお、本開示の実施例は、端末機器の能力情報のサイズがＰＤＣＰ  ＳＤＵのサイズの最大値以下である場合における、端末機器の能力情報の報告方式を限定しない。例えば、関連技術における端末機器の能力報告方式を採用して、端末機器の能力情報を報告してもよい。
【００５２】
なお、上記端末機器の能力情報は、端末機器によって報告される必要がある能力情報であってもよい。上記端末機器の能力情報の一部は、端末機器によって報告される必要がある能力情報のうちの一部の能力情報であってもよい。上記端末機器の能力情報の全ては、端末機器によって報告される必要がある能力情報のうちの全ての能力情報であってもよい。
【００５３】
本開示の実施例は、前記端末機器の能力情報のサイズがＰＤＣＰ  ＳＤＵのサイズの最大値よりも大きい場合に、報告方式に基づき、少なくとも一つのＰＤＣＰ  ＳＤＵを利用して前記端末機器の能力情報を伝送し、そのうち、前記少なくとも一つのＰＤＣＰ  ＳＤＵのうちのいずれか一つのＰＤＣＰ  ＳＤＵに携帯されている能力情報は、前記端末機器の能力情報の一部である。それによって、ＵＥによって報告される必要がある能力情報のサイズがＰＤＣＰ  ＳＤＵのサイズの最大値を超えている場合に、ＵＥの能力情報の報告を行うことを実現することができ、それによって、前記端末機器の能力情報のサイズがＰＤＣＰ  ＳＤＵのサイズの最大値よりも大きい場合に、依然として端末機器の能力情報の報告を行うことを確保し、さらに、ＵＥの能力情報の報告の柔軟性を向上させることができる。
【００５４】
選択的に、前記報告方式は、
無線リソース制御ＲＲＣメッセージセグメンテーションの方式を採用して、前記端末機器の能力情報の全てを報告すること、又は
前記端末機器の能力情報の一部を報告することを含んでもよい。
【００５５】
本開示の実施例において、上述した、無線リソース制御ＲＲＣメッセージセグメンテーションの方式を採用して、前記端末機器の能力情報の全てを報告することは、端末機器の能力情報の全てをＲＲＣメッセージセグメンテーションすることであってもよく、各セグメントは、一つのＰＤＣＰ  ＳＤＵによって伝送され、すなわち、各ＰＤＣＰ  ＳＤＵは、端末機器の能力情報の一部を伝送する。
【００５６】
本開示の実施例は、端末機器の能力情報のサイズがＰＤＣＰ  ＳＤＵのサイズの最大値よりも大きい場合に、無線リソース制御ＲＲＣメッセージセグメンテーションの方式を採用して、前記端末機器の能力情報の全てを報告することにより、端末機器の能力情報の報告の完全性を確保することができ、それによって、ネットワーク側機器は、端末機器の能力情報に基づき、リソース配置をより正確に行いやすくなる。
【００５７】
上述した、端末機器の能力情報の一部を報告することも、すなわち、上記端末機器の能力情報のうちの一部である。例えば、端末機器の能力情報の中から、サイズがＰＤＣＰ  ＳＤＵのサイズの最大値以下である能力情報の一部を取得して報告してもよい。なお、本開示の実施例は、端末機器の能力情報の中から、能力情報の一部をランダムに取得して報告してもよく、ネットワーク側機器の指示に基づき、端末機器の能力情報の中から、能力情報の一部を選択して報告してもよいが、本開示の実施例は、それを限定しない。
【００５８】
本開示の実施例は、端末機器の能力情報のサイズがＰＤＣＰ  ＳＤＵのサイズの最大値よりも大きい場合に、端末機器の能力情報の一部を報告することにより、能力情報の報告の効率を向上させることができる。
【００５９】
選択的に、前述した、報告方式に基づき、少なくとも一つのＰＤＣＰ  ＳＤＵを利用して前記端末機器の能力情報を伝送する前に、前記方法は、
前記ネットワーク側機器によって送信される第２のメッセージを受信することをさらに含み、そのうち、前記第２のメッセージは、前記報告方式を指示するための第２の情報を含む。
【００６０】
本開示の実施例において、ネットワーク側機器は、第１のメッセージを受信すると、第２の情報が少なくとも携帯されている第２のメッセージを端末機器に送信してもよく、上記第２の情報は、上記報告方式を指示するために用いられる。
【００６１】
なお、報告方式が、ＲＲＣメッセージセグメンテーションの方式を採用して、前記端末機器の能力情報の全てを報告する場合に、第２の情報は、ＲＲＣメッセージセグメンテーション配置パラメータ、例えば、セグメント番号、セグメント長さなどの情報をさらに含んでもよい。報告方式が、端末機器の能力情報の一部を報告する方式である場合に、第２の情報は、報告する必要がある能力情報の一部を指示するための指示情報をさらに含んでもよい。
【００６２】
なお、上記第２のメッセージは、関連技術における初期アクセス及びＵＥ能力報告プロセスにおける既存のメッセージであってもよく、追加的に送信されるメッセージであってもよい。本開示の実施例は、それを限定しない。
【００６３】
本開示の実施例は、ネットワーク側機器によって報告方式を指示することにより、端末機器の能力情報の報告制御の柔軟性を向上させることができる。
【００６４】
選択的に、前記第２のメッセージには、能力リクエスト情報がさらに携帯されている。
【００６５】
本開示の実施例において、第２のメッセージには、能力リクエスト情報がさらに携帯されており、例えば、第２のメッセージは、図１に示されたＵＥＣａｐａｂｉｌｉｔｙＥｎｑｕｉｒｙメッセージである。
【００６６】
本開示の実施例は、関連技術における初期アクセス及びＵＥ能力報告プロセスにおける既存のメッセージによって第２の情報を送信することにより、シグナリングオーバヘッドを節約することができる。
【００６７】
選択的に、前記第１のメッセージは、接続配置完了メッセージであり、又は
前記第１のメッセージは、ネットワーク側機器によって送信される能力リクエスト情報に応答して送信されたメッセージであり、又は
前記第１のメッセージは、前記端末機器によって前記ネットワーク側機器に送信される補助メッセージである。
【００６８】
本開示の実施例において、第１のメッセージは、接続配置完了メッセージであってもよく、例えば、図１に示されたＲＲＣＳｅｔｕｐＣｏｍｐｌｅｔｅメッセージである。第１のメッセージは、ネットワーク側機器によって送信される能力リクエスト情報に応答して送信されたメッセージであってもよく、例えば、図１に示されたＵＥＣａｐａｂｉｌｉｔｙＩｎｆｏｒｍａｔｉｏｎメッセージである。
【００６９】
本開示の実施例は、関連技術における初期アクセス及びＵＥ能力報告プロセスにおける既存のメッセージによって第１の情報を送信することにより、シグナリングオーバヘッドを節約することができる。
【００７０】
選択的に、第１のメッセージは、端末機器によってネットワーク側機器に送信される補助メッセージであってもよく、すなわち、既存のメッセージに対して、追加的に送信されるメッセージである。本開示の実施例は、補助メッセージにより第１の情報を携帯することにより、第１の情報の送信の柔軟性を向上させることができる。
【００７１】
選択的に、前記第１のメッセージが、ネットワーク側機器によって送信される能力リクエスト情報に応答して送信されたメッセージである場合に、前記第１のメッセージには、前記端末機器の能力情報の一部がさらに携帯されている。
【００７２】
本開示の実施例において、端末機器は、ネットワーク側機器によって送信される能力リクエスト情報を受信した場合に、ネットワーク側機器に第１の情報を送信し且つ端末機器の能力情報の一部を報告することができ、それにより能力情報の報告の効率を向上させることができる。
【００７３】
例えば、図１を参照して、ネットワーク側機器によって送信されるＵＥＣａｐａｂｉｌｉｔｙＥｎｑｕｉｒｙメッセージを受信した場合に、ＵＥＣａｐａｂｉｌｉｔｙＩｎｆｏｒｍａｔｉｏｎメッセージをネットワーク側機器に送信し、そのうち、ＵＥＣａｐａｂｉｌｉｔｙＩｎｆｏｒｍａｔｉｏｎメッセージには、第１の情報と端末機器の能力情報の一部が携帯されている。
【００７４】
選択的に、前記第１のメッセージには、前記端末機器の能力情報の一部がさらに携帯されている場合に、前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つをさらに含んでもよく、そのうち、前記残りの能力情報は、前記端末機器の能力情報のうち、すでに報告された能力情報以外の能力情報である。
【００７５】
本開示の実施例において、上記端末機器の能力情報のサイズは、端末機器によって報告される必要がある合計能力情報のサイズであってもよい。上記残りの能力情報のサイズも、すなわち、端末機器によって報告される必要がある全ての能力情報のサイズとすでに報告された能力情報のサイズとの差分値である。例えば、合計能力情報のサイズが１００００  Ｂｙｔｅであり、ＵＥによって９０００  ｂｙｔｅの能力情報が報告された場合に、ＵＥは、残りの１０００  Ｂｙｔｅの能力情報をまだ報告していない。
【００７６】
なお、前記第１のメッセージには、前記端末機器の能力情報の一部が携帯されている場合に、上述した、前記端末機器の能力情報の一部を報告することは、前記端末機器の残りの能力情報を報告することであってもよい。そのうち、前記残りの能力情報は、前記端末機器の能力情報のうち、すでに報告された能力情報以外の能力情報である。上述した、ＲＲＣメッセージセグメンテーションの方式を採用して、前記端末機器の能力情報の全てを報告することは、前記端末機器の残りの能力情報をＲＲＣメッセージセグメンテーションし、且つアップロードすることであってもよい。
【００７７】
本開示の実施例は、ネットワーク側機器に用いられる端末機器の能力情報処理方法を提供する。図４を参照して、図４は、本開示の実施例による別の端末機器の能力情報処理方法のフローチャートである。図４に示すように、以下のステップを含む。
ステップ４０１：端末機器によって送信される第１のメッセージを受信する。
そのうち、前記第１のメッセージは、前記端末機器の能力情報のサイズがＰＤＣＰ  ＳＤＵのサイズの最大値よりも大きいことを指示するための情報を含む、第１の情報を含む。
【００７８】
本開示の実施例において、上述した、前記端末機器の能力情報のサイズがＰＤＣＰ  ＳＤＵのサイズの最大値よりも大きいことを指示するための情報は、前記端末機器の能力情報のサイズがＰＤＣＰ  ＳＤＵのサイズの最大値よりも大きいことを明示的に指示する情報であってもよく、例えば、一つの予め設定された指示ビットによって、前記端末機器の能力情報のサイズがＰＤＣＰ  ＳＤＵのサイズの最大値よりも大きいことを指示してもよい。前記端末機器の能力情報のサイズがＰＤＣＰ  ＳＤＵのサイズの最大値よりも大きいことを暗示的に指示する情報であってもよく、例えば、端末機器の能力情報のサイズ、端末機器の能力情報のサイズとＰＤＣＰ  ＳＤＵのサイズの最大値との差分値などであってもよい。ネットワーク側機器は、一旦この情報を受信したら、前記端末機器の能力情報のサイズがＰＤＣＰ  ＳＤＵのサイズの最大値よりも大きいと確認する。
【００７９】
具体的には、端末機器の能力情報のサイズがＰＤＣＰ  ＳＤＵのサイズの最大値よりも大きい場合に、端末機器は、第１の情報が携帯されている第１のメッセージをネットワーク側機器に送信してもよく、前記第１の情報は少なくとも、前記端末機器の能力情報のサイズがＰＤＣＰ  ＳＤＵのサイズの最大値よりも大きいことを指示するための情報を含む。それによって、前記端末機器の能力情報のサイズがＰＤＣＰ  ＳＤＵのサイズの最大値よりも大きいことをネットワーク側機器に通知することにより、ネットワーク側機器は、相応な処理を行いやすくなる。例えば、能力情報の報告方式を端末機器へ指示する。
【００８０】
なお、上記第１のメッセージは、関連技術における初期アクセス及びＵＥ能力報告プロセスにおける既存のメッセージであってもよく、追加的に送信されるメッセージ（すなわち、補助メッセージ）であってもよい。本開示の実施例は、それを限定しない。
【００８１】
選択的に、前記第１の情報は、
前記端末機器の能力情報のサイズ、及び
前記端末機器がＲＲＣメッセージセグメンテーションをサポートすることを指示するための情報、のうちの少なくとも一つをさらに含んでもよい。
【００８２】
本開示の実施例において、上記端末機器の能力情報のサイズは、端末機器によって報告される必要がある合計能力情報のサイズであってもよい。
【００８３】
選択的に、ネットワーク側機器は、第１の情報に基づき、端末機器によって能力情報が報告される方式を配置してもよい。例えば、第１の情報が端末機器の能力情報のサイズを含む場合に、ネットワーク側機器は、端末機器の能力情報のサイズに基づき、ＲＲＣメッセージセグメンテーションのパラメータ、例えば、セグメント長さなどを配置してもよい。第１の情報が、前記端末機器がＲＲＣメッセージセグメンテーションをサポートすることを指示するための情報を含む場合に、ＲＲＣメッセージセグメンテーションの方式を採用して、端末機器の能力情報などを報告するように端末機器へ指示する。
【００８４】
本開示の実施例による端末機器の能力情報処理方法は、端末機器によって送信される第１のメッセージを受信し、そのうち、前記第１のメッセージは、前記端末機器の能力情報のサイズがＰＤＣＰ  ＳＤＵのサイズの最大値よりも大きいことを指示するための情報を含む、第１の情報を含む。それによって、ＵＥによって報告される必要がある能力情報のサイズがＰＤＣＰ  ＳＤＵのサイズの最大値を超えている場合に、前記端末機器の能力情報のサイズがＰＤＣＰ  ＳＤＵのサイズの最大値よりも大きいことをネットワーク側機器へ指示することを実現することができ、それによって、ネットワーク側機器は、相応な処理を行いやすくなる。ＵＥによって報告される必要がある能力情報のサイズがＰＤＣＰ  ＳＤＵのサイズの最大値を超えている場合に、ＵＥの能力情報の処理方式を規範化することができる。
【００８５】
選択的に、前記方法は、
前記端末機器によって報告方式に基づき少なくとも一つのＰＤＣＰ  ＳＤＵを利用して伝送された前記端末機器の能力情報を受信することをさらに含んでもよく、
そのうち、前記少なくとも一つのＰＤＣＰ  ＳＤＵのうちのいずれか一つのＰＤＣＰ  ＳＤＵに携帯されている能力情報は、前記端末機器の能力情報の一部である。
【００８６】
本開示の実施例において、ネットワーク側機器は、端末機器によって報告方式に基づき少なくとも一つのＰＤＣＰ  ＳＤＵを利用して伝送された前記端末機器の能力情報を受信することができ、そのうち、前記少なくとも一つのＰＤＣＰ  ＳＤＵのうちのいずれか一つのＰＤＣＰ  ＳＤＵに携帯されている能力情報は、前記端末機器の能力情報の一部である。それによって、前記端末機器の能力情報のサイズがＰＤＣＰ  ＳＤＵのサイズの最大値よりも大きい場合に、依然として端末機器の能力情報の報告を行うことができることを確保する。
【００８７】
例えば、報告方式が、ＲＲＣメッセージセグメンテーションの方式を採用して、前記端末機器の能力情報の全てを報告することを指示する場合に、前記端末機器の能力情報をＲＲＣメッセージセグメンテーションした後に、報告してもよい。報告方式が、端末機器の能力情報の一部を報告することを指示する場合に、端末機器の能力情報の一部を直接報告してもよい。
【００８８】
選択的に、上記報告方式は、プロトコルによって予め定義されるものであってもよく、ネットワーク側機器によって配置されるものであってもよい。
【００８９】
なお、上記端末機器の能力情報は、端末機器によって報告される必要がある能力情報であってもよい。上記端末機器の能力情報の一部は、端末機器によって報告される必要がある能力情報のうちの一部の能力情報であってもよい。上記端末機器の能力情報の全ては、端末機器によって報告される必要がある能力情報のうちの全ての能力情報であってもよい。
【００９０】
本開示の実施例は、端末機器によって報告方式に基づき少なくとも一つのＰＤＣＰ  ＳＤＵを利用して伝送された前記端末機器の能力情報を受信し、そのうち、前記少なくとも一つのＰＤＣＰ  ＳＤＵのうちのいずれか一つのＰＤＣＰ  ＳＤＵに携帯されている能力情報は、前記端末機器の能力情報の一部である。それによって、ＵＥによって報告される必要がある能力情報がＰＤＣＰ  ＳＤＵのサイズの最大値を超えている場合に、ＵＥの能力情報の伝送を行うことを実現することができ、さらに、ＵＥの能力情報の伝送の柔軟性を向上させることができる。
【００９１】
選択的に、前記報告方式は、
無線リソース制御ＲＲＣメッセージセグメンテーションの方式を採用して、前記端末機器の能力情報の全てを報告すること、又は
前記端末機器の能力情報の一部を報告することを含む。
【００９２】
本開示の実施例において、上述した、無線リソース制御ＲＲＣメッセージセグメンテーションの方式を採用して、前記端末機器の能力情報の全てを報告することは、端末機器の能力情報の全てをＲＲＣメッセージセグメンテーションすることであってもよく、各セグメントは、一つのＰＤＣＰ  ＳＤＵによって伝送され、すなわち、各ＰＤＣＰ  ＳＤＵは、端末機器の能力情報の一部を伝送する。
【００９３】
本開示の実施例は、端末機器の能力情報のサイズがＰＤＣＰ  ＳＤＵのサイズの最大値よりも大きい場合に、無線リソース制御ＲＲＣメッセージセグメンテーションの方式を採用して、前記端末機器の能力情報の全てを報告することにより、端末機器の能力情報の報告の完全性を確保することができ、それによって、ネットワーク側機器は、端末機器の能力情報に基づき、リソース配置をより正確に行いやすくなる。
【００９４】
上述した、端末機器の能力情報の一部を報告することも、すなわち、上記端末機器の能力情報のうちの一部である。例えば、端末機器の能力情報の中から、サイズがＰＤＣＰ  ＳＤＵのサイズの最大値以下である能力情報の一部を取得して報告してもよい。なお、本開示の実施例は、端末機器の能力情報の中から、能力情報の一部をランダムに取得して報告してもよく、ネットワーク側機器の指示に基づき、端末機器の能力情報の中から、能力情報の一部を選択して報告してもよいが、本開示の実施例は、それを限定しない。
【００９５】
本開示の実施例は、端末機器の能力情報のサイズがＰＤＣＰ  ＳＤＵのサイズの最大値よりも大きい場合に、端末機器の能力情報の一部を報告することにより、能力情報の報告の効率を向上させることができる。
【００９６】
選択的に、前述した、前記端末機器によって報告方式に基づき少なくとも一つのＰＤＣＰ  ＳＤＵを利用して伝送された前記端末機器の能力情報を受信する前に、前記方法は、
第２のメッセージを前記端末機器に送信することをさらに含み、そのうち、前記第２のメッセージは、前記報告方式を指示するための第２の情報を含む。
【００９７】
本開示の実施例において、ネットワーク側機器は、第１のメッセージを受信すると、第２の情報が少なくとも携帯されている第２のメッセージを端末機器に送信してもよく、上記第２の情報は、上記報告方式を指示するために用いられる。
【００９８】
なお、報告方式が、ＲＲＣメッセージセグメンテーションの方式を採用して、前記端末機器の能力情報の全てを報告する場合に、第２の情報は、ＲＲＣメッセージセグメンテーション配置パラメータ、例えば、セグメント番号、セグメント長さなどの情報をさらに含んでもよい。報告方式が、端末機器の能力情報の一部を報告する方式である場合に、第２の情報は、報告する必要がある能力情報の一部を指示するための指示情報をさらに含んでもよい。
【００９９】
なお、上記第２のメッセージは、関連技術における初期アクセス及びＵＥ能力報告プロセスにおける既存のメッセージであってもよく、追加的に送信されるメッセージであってもよい。本開示の実施例は、それを限定しない。
【０１００】
本開示の実施例は、ネットワーク側機器によって報告方式を指示することにより、端末機器の能力情報の報告制御の柔軟性を向上させることができる。
【０１０１】
選択的に、前記第２のメッセージには、能力リクエスト情報がさらに携帯されている。
【０１０２】
本開示の実施例において、第２のメッセージには、能力リクエスト情報がさらに携帯されており、例えば、第２のメッセージは、図１に示されたＵＥＣａｐａｂｉｌｉｔｙＥｎｑｕｉｒｙメッセージである。
【０１０３】
本開示の実施例は、関連技術における初期アクセス及びＵＥ能力報告プロセスにおける既存のメッセージによって第２の情報を送信することにより、シグナリングオーバヘッドを節約することができる。
【０１０４】
選択的に、前記第１のメッセージは、接続配置完了メッセージであり、又は
前記第１のメッセージは、前記端末機器によって前記ネットワーク側機器に送信される補助メッセージである。
【０１０５】
本開示の実施例において、第１のメッセージは、接続配置完了メッセージであってもよく、例えば、図１に示されたＲＲＣＳｅｔｕｐＣｏｍｐｌｅｔｅメッセージである。
【０１０６】
本開示の実施例は、関連技術における初期アクセス及びＵＥ能力報告プロセスにおける既存のメッセージによって第１の情報を送信することにより、シグナリングオーバヘッドを節約することができる。
【０１０７】
選択的に、第１のメッセージは、端末機器によってネットワーク側機器に送信される補助メッセージであってもよく、すなわち、既存のメッセージに対して、追加的に送信されるメッセージである。本開示の実施例は、補助メッセージにより第１の情報を携帯することにより、第１の情報の送信の柔軟性を向上させることができる。
【０１０８】
選択的に、前述した、前記端末機器によって送信される第１のメッセージを受信する前に、前記方法は、
能力リクエスト情報を前記端末機器に送信することをさらに含み、
そのうち、前記第１のメッセージは、前記能力リクエスト情報に応答して送信されたメッセージである。
【０１０９】
本開示の実施例において、第１のメッセージは、ネットワーク側機器によって送信される能力リクエスト情報に応答して送信されたメッセージであってもよく、例えば、図１に示されたＵＥＣａｐａｂｉｌｉｔｙＩｎｆｏｒｍａｔｉｏｎメッセージである。
【０１１０】
本開示の実施例は、関連技術における初期アクセス及びＵＥ能力報告プロセスにおける既存のメッセージによって第１の情報を送信することにより、シグナリングオーバヘッドを節約することができる。
【０１１１】
選択的に、前記第１のメッセージには、前記端末機器の能力情報の一部がさらに携帯されている。
【０１１２】
本開示の実施例において、端末機器は、ネットワーク側機器によって送信される能力リクエスト情報を受信した場合に、ネットワーク側機器に第１の情報を送信し且つ端末機器の能力情報の一部を報告することができ、それにより能力情報の報告の効率を向上させることができる。
【０１１３】
例えば、図１を参照して、ネットワーク側機器によって送信されるＵＥＣａｐａｂｉｌｉｔｙＥｎｑｕｉｒｙメッセージを受信した場合に、ＵＥＣａｐａｂｉｌｉｔｙＩｎｆｏｒｍａｔｉｏｎメッセージをネットワーク側機器に送信し、そのうち、ＵＥＣａｐａｂｉｌｉｔｙＩｎｆｏｒｍａｔｉｏｎメッセージには、第１の情報と端末機器の能力情報の一部が携帯されている。
【０１１４】
選択的に、前記第１のメッセージには、前記端末機器の能力情報の一部がさらに携帯されている場合に、前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である。
【０１１５】
本開示の実施例において、上記端末機器の能力情報のサイズは、端末機器によって報告される必要がある合計能力情報のサイズであってもよい。上記残りの能力情報のサイズも、すなわち、端末機器によって報告される必要がある全ての能力情報のサイズとすでに報告された能力情報のサイズとの差分値である。例えば、合計能力情報のサイズが１００００  Ｂｙｔｅであり、ＵＥによって９０００  ｂｙｔｅの能力情報が報告された場合に、ＵＥは、残りの１０００  Ｂｙｔｅの能力情報をまだ報告していない。
【０１１６】
なお、前記第１のメッセージには、前記端末機器の能力情報の一部が携帯されている場合に、上述した、前記端末機器の能力情報の一部を報告することは、前記端末機器の残りの能力情報を報告することであってもよい。そのうち、前記残りの能力情報は、前記端末機器の能力情報のうち、すでに報告された能力情報以外の能力情報である。上述した、ＲＲＣメッセージセグメンテーションの方式を採用して、前記端末機器の能力情報の全てを報告することは、前記端末機器の残りの能力情報をＲＲＣメッセージセグメンテーションし、且つアップロードすることであってもよい。
【０１１７】
以下では、具体的な例を結び付けて、本開示の実施例による端末機器の能力情報処理方法を説明する。
【０１１８】
例１：接続配置完了メッセージによって能力情報が大き過ぎる指示情報を報告する。
【０１１９】
図５を参照して、本開示の実施例による端末機器の能力情報処理方法は、以下のステップを含む。
【０１２０】
ステップ５０１：ＵＥは、接続確立プロセスを発起し、且つランダムアクセスプロセスを発起し、プリアンブル（すなわち、Ｐｒｅａｍｂｌｅ）が携帯されているＭｓｇ１を送信する。
【０１２１】
ステップ５０２：ネットワーク側機器は、ＵＥによって送信されるＭｓｇ１に基づき、ランダムアクセス応答（すなわち、ＲＡＲ）が携帯されているＭｓｇ２を送信し、そのうち、Ｍｓｇ２には、Ｍｓｇ３の送信のための上りリンクリソースが携帯されている。
【０１２２】
ステップ５０３：ＵＥは、Ｍｓｇ２において割り当てられるリソースに基づき、Ｍｓｇ３の送信を行う。
このステップは、上記ステップ１０３と同様である。
【０１２３】
ステップ５０４：ネットワーク側機器は、ＵＥによって送信されるＭｓｇ３に基づき、ランダムアクセスプロセスのＭｓｇ４をＵＥに送信する。
このステップは、上記ステップ１０４と同様である。
【０１２４】
ステップ５０５：ＵＥの能力情報のサイズがＰＤＣＰ  ＳＤＵのサイズの最大値を超えている場合に、ＵＥは、接続配置完了メッセージによって、その能力情報のサイズがＰＤＣＰ  ＳＤＵのサイズの最大値を超えている関連情報を指示する。
このステップにおいて、上記ＵＥの能力情報のサイズがＰＤＣＰ  ＳＤＵのサイズの最大値を超えている関連情報も、すなわち上記第１の情報である。
【０１２５】
ステップ５０６：ネットワーク側機器は、能力リクエスト情報をＵＥに送信する。
それに応じて、ネットワーク側機器は、ステップ５０５の指示情報に基づき、ＵＥへ能力情報の報告をリクエストする前又は同時に、ＲＲＣメッセージセグメンテーション機能をＵＥに配置してもよい。それによって、ＲＲＣメッセージセグメンテーションの方式を採用して、前記端末機器の能力情報の全てを報告するようにＵＥへ指示する。ＵＥの能力情報のサイズがＰＤＣＰ  ＳＤＵのサイズの最大値を超えている場合に、ＵＥは、ＵＥ能力情報の報告を行う時、ＵＥの能力情報をＲＲＣメッセージセグメンテーションした後に報告する。
【０１２６】
又は、ネットワーク側機器は、ステップ５０５の指示情報に基づき、能力情報の一部を報告するようにＵＥにリクエストしてもよく、このリクエストのＵＥによって報告される一部の能力情報のサイズは、ＰＤＣＰ  ＳＤＵのサイズの最大値以下である。
【０１２７】
ステップ５０７：ＵＥは、ネットワーク側のリクエスト情報に基づき、ＵＥの能力情報をネットワーク側に報告する。
このステップにおいて、ＵＥは、ネットワーク側のリクエスト情報と報告方式に基づき、ＵＥの能力情報をネットワーク側に報告してもよい。
【０１２８】
例２：ＵＥ能力情報メッセージによって能力情報が大き過ぎる指示情報を報告する。
【０１２９】
図６を参照して、本開示の実施例による端末機器の能力情報処理方法は、以下のようなステップを含む。
【０１３０】
ステップ６０１：ＵＥは、接続確立プロセスを発起し、且つランダムアクセスプロセスを発起し、プリアンブル（すなわち、Ｐｒｅａｍｂｌｅ）が携帯されているＭｓｇ１を送信する。
【０１３１】
ステップ６０２：ネットワーク側機器は、ＵＥによって送信されるＭｓｇ１に基づき、ランダムアクセス応答（すなわち、ＲＡＲ）が携帯されているＭｓｇ２を送信し、そのうち、Ｍｓｇ２には、Ｍｓｇ３の送信のための上りリンクリソースが携帯されている。
【０１３２】
ステップ６０３：ＵＥは、Ｍｓｇ２において割り当てられるリソースに基づき、Ｍｓｇ３の送信を行う。
このステップは、上記ステップ１０３と同様である。
【０１３３】
ステップ６０４：ネットワーク側機器は、ＵＥによって送信されるＭｓｇ３に基づき、ランダムアクセスプロセスのＭｓｇ４をＵＥに送信する、
このステップは、上記ステップ１０４と同様である。
【０１３４】
ステップ６０５：ＵＥは、ネットワーク側機器によって配信される接続配置メッセージを実行した後、接続配置完了メッセージをネットワーク側にフィードバックする。
【０１３５】
このステップは、上記ステップ１０５と同様である。
【０１３６】
ステップ６０６：ネットワーク側機器は、能力リクエスト情報をＵＥに送信する。
このステップは、上記ステップ１０６と同様である。
【０１３７】
ステップ６０７：ＵＥは、ネットワーク側の能力リクエスト情報を受信した時、ＵＥの能力情報のサイズがＰＤＣＰ  ＳＤＵのサイズの最大値を超えている場合に、ＵＥは、その能力情報を報告することなく、その能力情報のサイズがＰＤＣＰ  ＳＤＵのサイズの最大値を超えている関連情報をネットワーク側へ指示する。
このステップにおいて、上記ＵＥの能力情報のサイズがＰＤＣＰ  ＳＤＵのサイズの最大値を超えている関連情報も、すなわち上記第１の情報である。
【０１３８】
それに応じて、ネットワーク側機器は、ステップ６０７の指示情報に基づき、ＲＲＣメッセージセグメンテーション機能をＵＥに配置してもよい。それによって、ＲＲＣメッセージセグメンテーションの方式を採用して、前記端末機器の能力情報の全てを報告するようにＵＥへ指示する。ＵＥの能力情報のサイズがＰＤＣＰ  ＳＤＵのサイズの最大値を超えている場合に、ＵＥは、ＵＥ能力情報の報告を行う時、ＵＥの能力情報をＲＲＣメッセージセグメンテーションした後に報告する。
【０１３９】
又は、ネットワーク側機器は、ステップ６０５の指示情報に基づき、能力情報の一部を報告するようにＵＥにリクエストしてもよく、このリクエストのＵＥによって報告される一部の能力情報のサイズは、ＰＤＣＰ  ＳＤＵのサイズの最大値以下である。
【０１４０】
選択的に、上記ステップ６０７は、以下のようなことであってもよい。ＵＥは、ネットワーク側の能力リクエスト情報を受信した時、ＵＥの能力情報のサイズがＰＤＣＰ  ＳＤＵのサイズの最大値を超えている場合に、ＵＥは、その能力情報の一部を報告し、且つその能力情報のサイズがＰＤＣＰ  ＳＤＵのサイズの最大値を超えている関連情報をネットワーク側へ指示してもよい。
【０１４１】
それに応じて、上記ＵＥの能力情報のサイズがＰＤＣＰ  ＳＤＵのサイズの最大値を超えている関連情報は、
能力情報のサイズがＰＤＣＰ  ＳＤＵのサイズの最大値を超えている指示情報、
全ての能力情報のサイズ（例えば、１００００  Ｂｙｔｅ）、
残りの能力情報が報告されていない指示情報、
残りの報告されていない能力情報のサイズ（例えば、ＵＥが９０００  ｂｙｔｅの能力情報を報告したが、合計能力情報のサイズが１００００  Ｂｙｔｅである場合に、ＵＥは、残りの１０００  Ｂｙｔｅの能力情報をまだ報告していない）、及び
ＲＲＣメッセージセグメンテーション機能をサポートする指示情報、のうちの少なくとも一つを含んでもよい。
【０１４２】
具体的には、上記ステップ６０７の指示情報に基づき、ネットワーク側は、ＲＲＣメッセージセグメンテーション機能をＵＥに配置してもよい。ＵＥの能力情報のサイズがＰＤＣＰ  ＳＤＵのサイズの最大値を超えている場合に、ＵＥは、ＵＥ能力報告を行う時、ＵＥの能力情報をＲＲＣメッセージセグメンテーションした後に報告する。
【０１４３】
又は、上記ステップ６０７の指示情報に基づき、ネットワーク側は、残りの能力情報の一部を報告するようにＵＥにリクエストしてもよい。例えば、ネットワーク側は、能力リクエスト情報によって、残りのＵＥ能力情報を報告するようにＵＥへ指示し、ＵＥは、ネットワーク側のこのリクエスト情報を受信すると、残りのＵＥ能力情報をネットワーク側に報告する。ＵＥの残りの能力情報のサイズが依然としてＰＤＣＰ  ＳＤＵのサイズの最大値を超えている場合に、ＵＥは、能力情報のサイズがＰＤＣＰ  ＳＤＵのサイズの最大値を超えている関連情報を引き続き指示することができる。
【０１４４】
例３：補助メッセージによって能力情報が大き過ぎる指示情報を報告する。
【０１４５】
図７を参照して、本開示の実施例による端末機器の能力情報処理方法は、以下のようなステップを含む。
【０１４６】
ステップ７０１：ＵＥは、接続確立プロセスを発起し、且つランダムアクセスプロセスを発起し、プリアンブル（すなわち、Ｐｒｅａｍｂｌｅ）が携帯されているＭｓｇ１を送信する。
【０１４７】
ステップ７０２：ネットワーク側機器は、ＵＥによって送信されるＭｓｇ１に基づき、ランダムアクセス応答（すなわち、ＲＡＲ）が携帯されているＭｓｇ２を送信し、そのうち、Ｍｓｇ２には、Ｍｓｇ３の送信のための上りリンクリソースが携帯されている。
【０１４８】
ステップ７０３：ＵＥは、Ｍｓｇ２において割り当てられるリソースに基づき、Ｍｓｇ３の送信を行う、
このステップは、上記ステップ１０３と同様である。
【０１４９】
ステップ７０４：ネットワーク側機器は、ＵＥによって送信されるＭｓｇ３に基づき、ランダムアクセスプロセスのＭｓｇ４をＵＥに送信する。
このステップは、上記ステップ１０４と同様である。
【０１５０】
ステップ７０５：ＵＥは、ネットワーク側機器によって配信される接続配置メッセージを実行した後、接続配置完了メッセージをネットワーク側にフィードバックする。
【０１５１】
このステップは、上記ステップ１０５と同様である。
【０１５２】
ステップ７０６：ＵＥの能力情報のサイズがＰＤＣＰ  ＳＤＵのサイズの最大値を超えている場合に、ＵＥは、補助メッセージをネットワーク側に報告し、それによって、その能力情報のサイズがＰＤＣＰ  ＳＤＵのサイズの最大値を超えている関連情報を指示する。
【０１５３】
それに応じて、ネットワーク側機器は、ステップ７０６の指示情報に基づき、ＵＥへ能力情報の報告をリクエストする前又は同時に、ＲＲＣメッセージセグメンテーション機能をＵＥに配置してもよい。ＵＥの能力情報のサイズがＰＤＣＰ  ＳＤＵのサイズの最大値を超えている場合に、ＵＥは、ＵＥ能力報告を行う時、ＵＥの能力情報をＲＲＣメッセージセグメンテーションした後に報告する。
【０１５４】
又は、ネットワーク側機器は、ステップ７０６の指示情報に基づき、能力情報の一部を報告するようにＵＥにリクエストしてもよく、このリクエストのＵＥによって報告される一部の能力情報のサイズは、ＰＤＣＰ  ＳＤＵのサイズの最大値以下である。
【０１５５】
本開示の実施例による端末機器の能力情報処理方法は、ＵＥとネットワーク側とのネゴシエーションによって行われるものである。ＵＥは、その報告される能力情報のサイズがＰＤＣＰ  ＳＤＵのサイズの最大値を超えている場合に、その能力情報をネットワーク側に報告してもよい。
【０１５６】
図８を参照して、図８は、本開示の実施例による端末機器の構造図である。図８に示すように、端末機器８００は、
端末機器の能力情報のサイズがＰＤＣＰ  ＳＤＵのサイズの最大値よりも大きい場合に、第１のメッセージをネットワーク側機器に送信するための送信モジュール８００を含み、
そのうち、前記第１のメッセージは、前記端末機器の能力情報のサイズがＰＤＣＰ  ＳＤＵのサイズの最大値よりも大きいことを指示するための情報を含む、第１の情報を含む。
【０１５７】
選択的に、前記端末機器は、
報告方式に基づき、少なくとも一つのＰＤＣＰ  ＳＤＵを利用して前記端末機器の能力情報を伝送するための伝送モジュールをさらに含み、
そのうち、前記少なくとも一つのＰＤＣＰ  ＳＤＵのうちのいずれか一つのＰＤＣＰ  ＳＤＵに携帯されている能力情報は、前記端末機器の能力情報の一部である。
【０１５８】
選択的に、前記報告方式は、
無線リソース制御ＲＲＣメッセージセグメンテーションの方式を採用して、前記端末機器の能力情報の全てを報告すること、又は
前記端末機器の能力情報の一部を報告することを含む。
【０１５９】
選択的に、前記端末機器は、
前述した、報告方式に基づき、少なくとも一つのＰＤＣＰ  ＳＤＵを利用して前記端末機器の能力情報を伝送する前に、前記ネットワーク側機器によって送信される第２のメッセージを受信するための受信モジュールをさらに含み、そのうち、前記第２のメッセージは、前記報告方式を指示するための第２の情報を含む。
【０１６０】
選択的に、前記第１のメッセージは、接続配置完了メッセージであり、又は
前記第１のメッセージは、ネットワーク側機器によって送信される能力リクエスト情報に応答して送信されたメッセージであり、又は
前記第１のメッセージは、前記端末機器によって前記ネットワーク側機器に送信される補助メッセージである。
【０１６１】
選択的に、前記第１のメッセージが、ネットワーク側機器によって送信される能力リクエスト情報に応答して送信されたメッセージである場合に、前記第１のメッセージには、前記端末機器の能力情報の一部がさらに携帯されている。
【０１６２】
選択的に、前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である。
【０１６３】
選択的に、前記第１の情報は、
前記端末機器の能力情報のサイズ、及び
前記端末機器がＲＲＣメッセージセグメンテーションをサポートすることを指示するための情報、のうちの少なくとも一つを含む。
【０１６４】
選択的に、前記第２のメッセージには、能力リクエスト情報がさらに携帯されている。
【０１６５】
本開示の実施例による端末機器８００は、図３〜図７の方法の実施例において端末機器によって実現される様々な過程を実現することができる。重複を避けるために、ここでは再度言及しない。
【０１６６】
本開示の実施例の端末機器８００、送信モジュール８００は、端末機器の能力情報のサイズがＰＤＣＰ  ＳＤＵのサイズの最大値よりも大きい場合に、第１のメッセージをネットワーク側機器に送信するために用いられる。そのうち、前記第１のメッセージは、前記端末機器の能力情報のサイズがＰＤＣＰ  ＳＤＵのサイズの最大値よりも大きいことを指示するための情報を含む、第１の情報を含む。それによって、ＵＥによって報告される必要がある能力情報のサイズがＰＤＣＰ  ＳＤＵのサイズの最大値を超えている場合に、前記端末機器の能力情報のサイズがＰＤＣＰ  ＳＤＵのサイズの最大値よりも大きいことをネットワーク側機器へ指示することを実現することができる。それによって、ＵＥによって報告される必要がある能力情報のサイズがＰＤＣＰ  ＳＤＵのサイズの最大値を超えている場合に、ＵＥの能力情報に関する処理方式を規範化することができる。
【０１６７】
図９を参照して、図９は、本開示の実施例によるネットワーク側機器の構造図である。図９に示すように、ネットワーク側機器９００は、
端末機器によって送信される第１のメッセージを受信するための第１の受信モジュール９０１を含み、
そのうち、前記第１のメッセージは、前記端末機器の能力情報のサイズがＰＤＣＰ  ＳＤＵのサイズの最大値よりも大きいことを指示するための情報を含む、第１の情報を含む。
【０１６８】
選択的に、前記ネットワーク側機器は、
前記端末機器によって報告方式に基づき少なくとも一つのＰＤＣＰ  ＳＤＵを利用して伝送された前記端末機器の能力情報を受信するための第２の受信モジュールをさらに含み、
そのうち、前記少なくとも一つのＰＤＣＰ  ＳＤＵのうちのいずれか一つのＰＤＣＰ  ＳＤＵに携帯されている能力情報は、前記端末機器の能力情報の一部である。
【０１６９】
選択的に、前記報告方式は、
無線リソース制御ＲＲＣメッセージセグメンテーションの方式を採用して、前記端末機器の能力情報の全てを報告すること、又は
前記端末機器の能力情報の一部を報告することを含む。
【０１７０】
選択的に、前記ネットワーク側機器は、
第２のメッセージを前記端末機器に送信するための第１の送信モジュールをさらに含み、そのうち、前記第２のメッセージは、前記報告方式を指示するための第２の情報を含む。
【０１７１】
選択的に、前記第１のメッセージは、接続配置完了メッセージであり、又は
前記第１のメッセージは、前記端末機器によって前記ネットワーク側機器に送信される補助メッセージである。
【０１７２】
選択的に、前記ネットワーク側機器は、
前述した、前記端末機器によって送信される第１のメッセージを受信する前に、能力リクエスト情報を前記端末機器に送信するための第２の送信モジュールをさらに含み、
そのうち、前記第１のメッセージは、前記能力リクエスト情報に応答して送信されたメッセージである。
【０１７３】
選択的に、前記第１のメッセージには、前記端末機器の能力情報の一部がさらに携帯されている。
【０１７４】
選択的に、前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である。
【０１７５】
選択的に、前記第１の情報は、
前記端末機器の能力情報のサイズ、及び
前記端末機器が無線リソース制御ＲＲＣメッセージセグメンテーションをサポートすることを指示するための情報、のうちの少なくとも一つを含む。
【０１７６】
選択的に、前記第２のメッセージには、能力リクエスト情報がさらに携帯されている。
【０１７７】
本開示の実施例によるネットワーク側機器９００は、図３〜図７の方法の実施例においてネットワーク側機器によって実現される様々な過程を実現することができる。重複を避けるために、ここでは再度言及しない。
【０１７８】
本開示の実施例のネットワーク側機器９００、第１の受信モジュール９０１は、端末機器によって送信される第１のメッセージを受信するために用いられる。そのうち、前記第１のメッセージは、前記端末機器の能力情報のサイズがＰＤＣＰ  ＳＤＵのサイズの最大値よりも大きいことを指示するための情報を含む、第１の情報を含む。ＵＥによって報告される必要がある能力情報のサイズがＰＤＣＰ  ＳＤＵのサイズの最大値を超えている場合に、前記端末機器の能力情報のサイズがＰＤＣＰ  ＳＤＵのサイズの最大値よりも大きいことをネットワーク側機器へ指示することを実現することができる。それによって、ＵＥによって報告される必要がある能力情報のサイズがＰＤＣＰ  ＳＤＵのサイズの最大値を超えている場合に、ＵＥの能力情報に関する処理方式を規範化することができる。
【０１７９】
図１０は、本開示の実施例による別の端末機器の構造図である。図１０を参照して、この端末機器１０００は、無線周波数ユニット１００１、ネットワークモジュール１００２、オーディオ出力ユニット１００３、入力ユニット１００４、センサ１００５、表示ユニット１００６、ユーザ入力ユニット１００７、インターフェースユニット１００８、メモリ１００９、プロセッサ１０１０、及び電源１０１１などの部品を含むが、それらに限定されない。当業者であれば理解できることは、図１０に示された端末機器の構造は、端末機器への限定を構成するものではなく、端末機器は、図示よりも多く又は少ない部品を含んでもよく、又はある部品を組み合わせてもよく、又は異なる部品を配置してもよい。本開示の実施例において、端末機器は、携帯電話、タブレットパーソナルコンピューター、ノートパソコン、ハンドヘルドコンピューター、車載端末、ウェアラブルデバイス、及び歩数計などを含むが、それらに限定されない。
【０１８０】
そのうち、無線周波数ユニット１００１は、端末機器の能力情報のサイズがＰＤＣＰ  ＳＤＵのサイズの最大値よりも大きい場合に、第１のメッセージをネットワーク側機器に送信するために用いられる。そのうち、前記第１のメッセージは、前記端末機器の能力情報のサイズがＰＤＣＰ  ＳＤＵのサイズの最大値よりも大きいことを指示するための情報を含む、第１の情報を含む。
【０１８１】
本開示の実施例は、ＵＥによって報告される必要がある能力情報のサイズがＰＤＣＰ  ＳＤＵのサイズの最大値を超えている場合に、前記端末機器の能力情報のサイズがＰＤＣＰ  ＳＤＵのサイズの最大値よりも大きいことをネットワーク側機器へ指示することを実現することができる。それによって、ＵＥによって報告される必要がある能力情報のサイズがＰＤＣＰ  ＳＤＵのサイズの最大値を超えている場合に、ＵＥの能力情報に関する処理方式を規範化することができる。
【０１８２】
選択的に、前記無線周波数ユニット１００１は、さらに、
報告方式に基づき、少なくとも一つのＰＤＣＰ  ＳＤＵを利用して前記端末機器の能力情報を伝送するために用いられ、
そのうち、前記少なくとも一つのＰＤＣＰ  ＳＤＵのうちのいずれか一つのＰＤＣＰ  ＳＤＵに携帯されている能力情報は、前記端末機器の能力情報の一部である。
【０１８３】
選択的に、前記報告方式は、
無線リソース制御ＲＲＣメッセージセグメンテーションの方式を採用して、前記端末機器の能力情報の全てを報告すること、又は
前記端末機器の能力情報の一部を報告することを含む。
【０１８４】
選択的に、前記無線周波数ユニット１００１は、さらに、
前述した、報告方式に基づき、少なくとも一つのＰＤＣＰ  ＳＤＵを利用して前記端末機器の能力情報を伝送する前に、前記ネットワーク側機器によって送信される第２のメッセージを受信するために用いられ、そのうち、前記第２のメッセージは、前記報告方式を指示するための第２の情報を含む。
【０１８５】
選択的に、前記第１のメッセージは、接続配置完了メッセージであり、又は
前記第１のメッセージは、ネットワーク側機器によって送信される能力リクエスト情報に応答して送信されたメッセージであり、又は
前記第１のメッセージは、前記端末機器によって前記ネットワーク側機器に送信される補助メッセージである。
【０１８６】
選択的に、前記第１のメッセージが、ネットワーク側機器によって送信される能力リクエスト情報に応答して送信されたメッセージである場合に、前記第１のメッセージには、前記端末機器の能力情報の一部がさらに携帯されている。
【０１８７】
選択的に、前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である。
【０１８８】
選択的に、前記第１の情報は、
前記端末機器の能力情報のサイズ、及び
前記端末機器がＲＲＣメッセージセグメンテーションをサポートすることを指示するための情報、のうちの少なくとも一つを含む。
【０１８９】
選択的に、前記第２のメッセージには、能力リクエスト情報がさらに携帯されている。
【０１９０】
理解できることは、本開示の実施例において、無線周波数ユニット１００１は、情報の送受信又は通話中の信号の送受信に用いることができ、具体的には、基地局からのダウンリンクデータを受信すると、プロセッサ１０１０に渡して処理させる。また、上りリンクデータを基地局に送信する。一般的には、無線周波数ユニット１００１は、アンテナ、少なくとも一つの増幅器、送受信機、カプラ、低雑音増幅器、及びデュプレクサなどを含むが、それらに限定されない。なお、無線周波数ユニット１００１は、さらに、無線通信システムによって、ネットワーク及び他の機器と通信することができる。
【０１９１】
端末機器は、ネットワークモジュール１００２によって、無線広帯域インターネットアクセスをユーザに提供し、例えば、ユーザへ、電子メールの送受信、ウェブページの閲覧、及びストリーミングメディアへのアクセスなどを支援する。
【０１９２】
オーディオ出力ユニット１００３は、無線周波数ユニット１００１又はネットワークモジュール１００２によって受信される、又はメモリ１００９に記憶されているオーディオデータをオーディオ信号に変換し、且つ音声として出力することができる。そして、オーディオ出力ユニット１００３は、さらに端末機器１０００によって実行される特定の機能に関するオーディオ出力（例えば、呼び出し信号受信音声、メッセージ受信音声など）を提供することができる。オーディオ出力ユニット１００３は、スピーカ、ブザー及び受話器などを含む。
【０１９３】
入力ユニット１００４は、オーディオやビデオ信号を受信するために用いられる。入力ユニット１００４は、グラフィックスプロセッサ（Ｇｒａｐｈｉｃｓ  Ｐｒｏｃｅｓｓｉｎｇ  Ｕｎｉｔ、ＧＰＵ）１００４１及びマイクロホン１００４２を含んでもよい。グラフィックプロセッサ１００４１は、ビデオキャプチャモード又は画像キャプチャモードにおいて画像キャプチャデバイス（例えばカメラ）によって得られる静止画像又はビデオの画像データに対して処理を行う。処理された画像フレームは、表示ユニット１００６に表示されてもよい。グラフィックプロセッサ１００４１によって処理された画像フレームは、メモリ１００９（又は他の記憶媒体）に記憶されてもよく、又は無線周波数ユニット１００１又はネットワークモジュール１００２を介して送信されてもよい。マイクロホン１００４２は、音声を受信することができ、且つこのような音声をオーディオデータとして処理することができる。処理されたオーディオデータは、電話の通話モードの場合に、無線周波数ユニット１００１を介して移動通信基地局に送信可能なフォーマットに変換して出力されることができる。
【０１９４】
端末機器１０００は、光センサ、動きセンサ及び他のセンサのような少なくとも一つのセンサ１００５をさらに含む。具体的には、光センサは、周囲光の明暗に応じて表示パネル１００６１の明るさを調節することができる周囲光センサと、端末機器１０００が耳の側に移動した時に、表示パネル１００６１及び／又はバックライトをオフにすることができる近接センサとを含む。動きセンサの一つとして、加速度計センサは、各方向（一般的には３軸）における加速度の大きさを検出することができ、静止時に重力の大きさと方向を検出することができ、端末機器の姿勢（例えば、縦横スクリーンの切り替え、関連ゲーム、磁力計の姿勢校正）の識別、振動識別関連機能（例えば、歩数計、ノック）などに用いることができる。センサ１００５は、指紋センサ、圧力センサ、虹彩センサ、分子センサ、ジャイロスコープ、気圧計、湿度計、温度計、赤外線センサなどをさらに含んでもよく、ここでは再度言及しない。
【０１９５】
表示ユニット１００６は、ユーザによって入力される情報又はユーザに提供した情報を表示するために用いられる。表示ユニット１００６は、表示パネル１００６１を含んでもよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）等の形式で表示パネル１００６１を配置してもよい。
【０１９６】
ユーザ入力ユニット１００７は、入力されるデジタル又は文字情報の受信、及び端末機器のユーザによる設定と機能制御に関連するキー信号入力の生成に用いることができる。具体的には、ユーザ入力ユニット１００７は、タッチパネル１００７１及び他の入力機器１００７２を含む。タッチパネル１００７１は、タッチスクリーンとも呼ばれ、その上又はその近傍でのユーザのタッチ操作（例えば、ユーザが指、スタイラスなどの任意の適切な物体又は付属品でタッチパネル１００７１上又はタッチパネル１００７１の近傍で行う操作）を収集することができる。タッチパネル１００７１は、タッチ検出装置及びタッチコントローラの２つの部分を含んでもよい。そのうち、タッチ検出装置は、ユーザのタッチ方位を検出し、且つタッチ操作による信号を検出し、信号をタッチコントローラに送信する。タッチコントローラは、タッチ検出装置からタッチ情報を受信し、且つそれを接触点座標に変換し、プロセッサ１０１０に送信し、プロセッサ１０１０によって送信されてきた指令を受信し且つ実行する。なお、抵抗式、静電容量式、赤外線及び表面音波等の複数のタイプを採用して、タッチパネル１００７１を実現することができる。タッチパネル１００７１のほか、ユーザ入力ユニット１００７は、他の入力機器１００７２をさらに含んでもよい。具体的には、他の入力機器１００７２は、物理的なキーボード、機能キー（例えば、ボリューム制御キー、スイッチキーなど）、トラックボール、マウス、操作レバーを含んでもよいが、それらに限定されない。
【０１９７】
さらに、タッチパネル１００７１は、表示パネル１００６１に覆われてもよい。タッチパネル１００７１は、その上又はその近傍でのタッチ操作を検出すると、プロセッサ１０１０に伝送して、タッチイベントのタイプを特定する。その後、プロセッサ１０１０は、タッチイベントのタイプに基づき、表示パネル１００６１において相応な視覚出力を提供する。図１０において、タッチパネル１００７１と表示パネル１００６１とは、２つの独立した部品として、端末機器の入出力機能を実現するものであるが、なんらかの実施例において、タッチパネル１００７１と表示パネル１００６１とを集積して、端末機器の入出力機能を実現してもよい。ここでは具体的な内容を限定しない。
【０１９８】
インターフェースユニット１００８は、外部装置と端末機器１０００との接続のためのインターフェースである。例えば、外部装置は、有線又は無線ヘッドセットポート、外部電源（又は電池充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドフォンポートなどを含んでもよい。インターフェースユニット１００８は、外部装置からの入力（例えば、データ情報、電力など）を受信し、且つ受信した入力を端末機器１０００における一つ又は複数の要素に伝送するために用いられてもよく、又は端末機器１０００と外部装置との間でデータを伝送するために用いられてもよい。
【０１９９】
メモリ１００９は、ソフトウェアプログラム及び様々なデータを記憶するために用いることができる。メモリ１００９は、主に記憶プログラム領域及び記憶データ領域を含んでもよい。そのうち、記憶プログラム領域は、オペレーティングシステム、少なくとも一つの機能に必要とするアプリケーションプログラム（例えば、音声再生機能、画像再生機能など）などを記憶することができ、記憶データ領域は、携帯電話の使用に基づいて作成されるデータ（例えば、オーディオデータ、電話帳など）などを記憶することができる。なお、メモリ１００９は、高速ランダムアクセスメモリを含んでもよく、不揮発性メモリを含んでもよい。例えば、少なくとも一つの磁気ディスクメモリデバイス、フラッシュメモリデバイス、又は他の揮発性ソリッドステートメモリデバイスなどを含んでもよい。
【０２００】
プロセッサ１０１０は、端末機器の制御センタであり、様々なインターフェース及び回線を利用して端末機器全体の各部分を接続し、メモリ１００９に記憶されているソフトウェアプログラム及び／又はモジュールを運用又は実行し、且つメモリ１００９に記憶されているデータを呼び出すことにより、端末機器の様々な機能を実行し且つデータを処理し、それにより端末機器を全体的にモニタリングする。プロセッサ１０１０は、一つ又は複数の処理ユニットを含んでもよい。選択的に、プロセッサ１０１０は、アプリケーションプロセッサとモデムプロセッサを集積してもよい。そのうち、アプリケーションプロセッサは、主にオペレーティングシステム、ユーザインターフェース、及びアプリケーションプログラムなどを処理するものであり、モデムプロセッサは、主に無線通信を処理するものである。理解できることは、上記モデムプロセッサは、プロセッサ１０１０に集積されなくてもよい。
【０２０１】
端末機器１０００は、様々な部品に電力を供給する電源１０１１（例えば、電池）をさらに含んでもよく、選択的に、電源１０１１は、電源管理システムによって、プロセッサ１０１０に論理的に接続されてもよい。それにより、電源管理システムによって、充放電の管理、及び電力消費の管理などの機能を実現することができる。
【０２０２】
また、端末機器１０００は、図示されていない機能モジュールを含み、ここでは再度言及しない。
【０２０３】
選択的に、本開示の実施例は、端末機器をさらに提供する。プロセッサ１０１０と、メモリ１００９と、メモリ１００９に記憶されており、且つ前記プロセッサ１０１０に運行できるコンピュータプログラムとを含み、このコンピュータプログラムがプロセッサ１０１０によって実行される時、上記端末機器の能力情報処理方法の実施例の様々な過程を実現し、且つ同様の技術的効果を達することができる。重複を避けるために、ここでは再度言及しない。
【０２０４】
図１１を参照して、図１１は、本開示の実施例による別のネットワーク側機器の構造図である。図１１に示すように、ネットワーク側機器１１００は、プロセッサ１１０１と、メモリ１１０２と、バスインターフェース１１０３と、送受信機１１０４とを含み、そのうち、プロセッサ１１０１と、メモリ１１０２と、送受信機１１０４は、いずれもバスインターフェース１１０３まで接続される。
【０２０５】
そのうち、本開示の実施例において、ネットワーク側機器１１００は、メモリ１１０２に記憶されており、且つプロセッサ１１０１に運行できるコンピュータプログラムをさらに含み、コンピュータプログラムがプロセッサ１１０１によって実行される時、以下のようなステップを実現する。
端末機器によって送信される第１のメッセージを受信し、
そのうち、前記第１のメッセージは、前記端末機器の能力情報のサイズがＰＤＣＰ  ＳＤＵのサイズの最大値よりも大きいことを指示するための情報を含む、第１の情報を含む。
【０２０６】
選択的に、前記コンピュータプログラムがプロセッサ１１０１によって実行される時、さらに、
前記端末機器によって報告方式に基づき少なくとも一つのＰＤＣＰ  ＳＤＵを利用して伝送された前記端末機器の能力情報を受信するために用いられ、
そのうち、前記少なくとも一つのＰＤＣＰ  ＳＤＵのうちのいずれか一つのＰＤＣＰ  ＳＤＵに携帯されている能力情報は、前記端末機器の能力情報の一部である。
【０２０７】
選択的に、前記報告方式は、
無線リソース制御ＲＲＣメッセージセグメンテーションの方式を採用して、前記端末機器の能力情報の全てを報告すること、又は
前記端末機器の能力情報の一部を報告することを含む。
【０２０８】
選択的に、前記コンピュータプログラムがプロセッサ１１０１によって実行される時、さらに、
前述した、前記端末機器によって報告方式に基づき少なくとも一つのＰＤＣＰ  ＳＤＵを利用して伝送された前記端末機器の能力情報を受信する前に、第２のメッセージを前記端末機器に送信するために用いられ、そのうち、前記第２のメッセージは、前記報告方式を指示するための第２の情報を含む。
【０２０９】
選択的に、前記第１のメッセージは、接続配置完了メッセージであり、又は
前記第１のメッセージは、前記端末機器によって前記ネットワーク側機器に送信される補助メッセージである。
【０２１０】
選択的に、前述した、前記端末機器によって送信される第１のメッセージを受信する前に、前記方法は、
能力リクエスト情報を前記端末機器に送信することをさらに含み、
そのうち、前記第１のメッセージは、前記能力リクエスト情報に応答して送信されたメッセージである。
【０２１１】
選択的に、前記第１のメッセージには、前記端末機器の能力情報の一部がさらに携帯されている。
【０２１２】
選択的に、前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である。
【０２１３】
選択的に、前記第１の情報は、
前記端末機器の能力情報のサイズ、及び
前記端末機器が無線リソース制御ＲＲＣメッセージセグメンテーションをサポートすることを指示するための情報、のうちの少なくとも一つを含む。
【０２１４】
選択的に、前記第２のメッセージには、能力リクエスト情報がさらに携帯されている。
【０２１５】
選択的に、本開示の実施例は、ネットワーク側機器をさらに提供する。プロセッサ１１０１と、メモリ１１０２と、メモリ１１０２に記憶されており、且つ前記プロセッサ１１０１に運行できるコンピュータプログラムとを含み、このコンピュータプログラムがプロセッサ１１０１によって実行される時、上記端末機器の能力情報処理方法の実施例の様々な過程を実現し、且つ同様の技術的効果を達することができる。重複を避けるために、ここでは再度言及しない。
【０２１６】
本開示の実施例は、コンピュータ可読記憶媒体をさらに提供する。コンピュータ可読記憶媒体にはコンピュータプログラムが記憶されており、このコンピュータプログラムがプロセッサによって実行される時、上記端末機器の能力情報処理方法の実施例の様々な過程を実現し、且つ同様の技術的効果を達することができる。重複を避けるために、ここでは再度言及しない。そのうち、前記コンピュータ可読記憶媒体は、例えば、読み取り専用メモリ（Ｒｅａｄ−Ｏｎｌｙ  Ｍｅｍｏｒｙ、ＲＯＭと略称される）、ランダムアクセスメモリ（Ｒａｎｄｏｍ  Ａｃｃｅｓｓ  Ｍｅｍｏｒｙ、ＲＡＭと略称される）、磁気ディスク又は光ディスクなどである。
【０２１７】
なお、本明細書における用語である「含む」、「包含する」又はそれらの任意の他の変形は、非排除性の「含む」を意図的にカバーするものであり、それによって、一連の要素を含むプロセス、方法、製品又は装置は、それらの要素を含むだけでなく、明瞭にリストされていない他の要素、又はこのようなプロセス、方法、製品又は装置に固有の他の要素も含む。これ以上の制限がない限り、「…を一つ含む」という語句で限定された要素は、この要素を含むプロセス、方法、製品又は装置に別の同一の要素が存在することが排除されていない。
【０２１８】
以上の実施形態の記述によって、当業者が明確に理解できることは、上記実施例の方法は、ソフトウェアと必要となる汎用ハードウェアプラットフォームの方式で実現されてもよく、ハードウェアによって実施されてもよいが、多くの場合では、前者の方がより優れた実施形態である。このような理解に基づき、本開示の技術案は、本質的には、又は従来の技術に寄与する部分は、ソフトウェア製品の形式で具現化することができる。このコンピュータソフトウェア製品は、一つの記憶媒体（例えばＲＯＭ／ＲＡＭ、磁気ディスク、光ディスク）に記憶されており、一台の端末（携帯電話、コンピュータ、サーバ、空調機、又はネットワーク機器などであってもよい）に本開示の各実施例に記載の方法を実行させるための若干の指令を含む。
【０２１９】
以上では、添付図面を結び付けて本開示の実施例を記述したが、本開示は、上述した具体的な実施形態に限定されるものではない。上述した具体的な実施形態は、例示的なものに過ぎず、限定的なものではない。当業者は、本開示の示唆で、本開示の精神及び特許請求の範囲から逸脱することなく、様々な変形を行うことができる。それらは、いずれも本開示の保護範囲内に属する。
【符号の説明】
【０２２０】
１１  端末機器
１２  ネットワーク側機器
８００  端末機器
８０１  送信モジュール
９００  ネットワーク側機器
９０１  第１の受信モジュール
１０００  端末機器
１００１  無線周波数ユニット
１００２  ネットワークモジュール
１００３  オーディオ出力ユニット
１００４  入力ユニット
１００５  センサ
１００６  表示ユニット
１００７  ユーザ入力ユニット
１００８  インターフェースユニット
１００９  メモリ
１０１０  プロセッサ
１０１１  電源
１１００  ネットワーク側機器
１１０１  プロセッサ
１１０２  メモリ
１１０３  バスインターフェース
１１０４  送受信機
【図１】
2022501963.tif 000003
【図２】
2022501963.tif 000004
【図３】
2022501963.tif 000005
【図４】
2022501963.tif 000006
【図５】
2022501963.tif 000007
【図６】
2022501963.tif 000008
【図７】
2022501963.tif 000009
【図８】
2022501963.tif 000010
【図９】
2022501963.tif 000011
【図１０】
2022501963.tif 000012
【図１１】
2022501963.tif 000013
【手続補正書】
【提出日】令和3年3月29日(2021.3.29)
【手続補正１】
【補正対象書類名】特許請求の範囲
【補正対象項目名】全文
【補正方法】変更
【補正の内容】
【特許請求の範囲】
【請求項１】
端末機器に用いられる端末機器の能力情報処理方法であって、
端末機器の能力情報のサイズがパケットデータコンバージェンスプロトコルＰＤＣＰサービスデータユニットＳＤＵのサイズの最大値よりも大きい場合に、第１のメッセージをネットワーク側機器に送信することを含み、
そのうち、前記第１のメッセージは、前記端末機器の能力情報のサイズがＰＤＣＰ  ＳＤＵのサイズの最大値よりも大きいことを指示するための情報を含む、第１の情報を含む、端末機器の能力情報処理方法。
【請求項２】
報告方式に基づき、少なくとも一つのＰＤＣＰ  ＳＤＵを利用して前記端末機器の能力情報を伝送することをさらに含み、
そのうち、前記少なくとも一つのＰＤＣＰ  ＳＤＵのうちのいずれか一つのＰＤＣＰ  ＳＤＵに携帯されている能力情報は、前記端末機器の能力情報の一部であり、
前記報告方式は、
無線リソース制御ＲＲＣメッセージセグメンテーションの方式を採用して、前記端末機器の能力情報の全てを報告すること、又は
前記端末機器の能力情報の一部を報告することを含む、請求項１に記載の方法。
【請求項３】
報告方式に基づき、少なくとも一つのＰＤＣＰ  ＳＤＵを利用して前記端末機器の能力情報を伝送する前に、前記方法は、
前記ネットワーク側機器によって送信される第２のメッセージを受信することをさらに含み、そのうち、前記第２のメッセージは、前記報告方式を指示するための第２の情報を含む、請求項２に記載の方法。
【請求項４】
前記第１のメッセージは、接続配置完了メッセージであり、又は
前記第１のメッセージは、ネットワーク側機器によって送信される能力リクエスト情報に応答して送信されたメッセージであり、又は
前記第１のメッセージは、前記端末機器によって前記ネットワーク側機器に送信される補助メッセージであり、
前記第１のメッセージが、ネットワーク側機器によって送信される能力リクエスト情報に応答して送信されたメッセージである場合に、前記第１のメッセージには、前記端末機器の能力情報の一部がさらに携帯されている、請求項１に記載の方法。
【請求項５】
前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である、請求項１〜４のいずれか１項に記載の方法。
【請求項６】
ネットワーク側機器に用いられる端末機器の能力情報処理方法であって、
端末機器によって送信される第１のメッセージを受信することを含み、
そのうち、前記第１のメッセージは、前記端末機器の能力情報のサイズがパケットデータコンバージェンスプロトコルＰＤＣＰサービスデータユニットＳＤＵのサイズの最大値よりも大きいことを指示するための情報を含む、第１の情報を含む、端末機器の能力情報処理方法。
【請求項７】
前記端末機器によって報告方式に基づき少なくとも一つのＰＤＣＰ  ＳＤＵを利用して伝送された前記端末機器の能力情報を受信することをさらに含み、
そのうち、前記少なくとも一つのＰＤＣＰ  ＳＤＵのうちのいずれか一つのＰＤＣＰ  ＳＤＵに携帯されている能力情報は、前記端末機器の能力情報の一部であり、
前記報告方式は、
無線リソース制御ＲＲＣメッセージセグメンテーションの方式を採用して、前記端末機器の能力情報の全てを報告すること、又は
前記端末機器の能力情報の一部を報告することを含む、請求項６に記載の方法。
【請求項８】
前記端末機器によって報告方式に基づき少なくとも一つのＰＤＣＰ  ＳＤＵを利用して伝送された前記端末機器の能力情報を受信する前に、前記方法は、
第２のメッセージを前記端末機器に送信することをさらに含み、そのうち、前記第２のメッセージは、前記報告方式を指示するための第２の情報を含む、請求項７に記載の方法。
【請求項９】
前記端末機器によって送信される第１のメッセージを受信する前に、前記方法は、
能力リクエスト情報を前記端末機器に送信することをさらに含み、
そのうち、前記第１のメッセージは、前記能力リクエスト情報に応答して送信されたメッセージであり、
前記第１のメッセージには、前記端末機器の能力情報の一部がさらに携帯されている、請求項６に記載の方法。
【請求項１０】
前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である、請求項６〜９のいずれか１項に記載の方法。
【請求項１１】
端末機器であって、
端末機器の能力情報のサイズがパケットデータコンバージェンスプロトコルＰＤＣＰサービスデータユニットＳＤＵのサイズの最大値よりも大きい場合に、第１のメッセージをネットワーク側機器に送信するための送信モジュールを含み、
そのうち、前記第１のメッセージは、前記端末機器の能力情報のサイズがＰＤＣＰ  ＳＤＵのサイズの最大値よりも大きいことを指示するための情報を含む、第１の情報を含む、端末機器。
【請求項１２】
報告方式に基づき、少なくとも一つのＰＤＣＰ  ＳＤＵを利用して前記端末機器の能力情報を伝送するための伝送モジュールをさらに含み、
そのうち、前記少なくとも一つのＰＤＣＰ  ＳＤＵのうちのいずれか一つのＰＤＣＰ  ＳＤＵに携帯されている能力情報は、前記端末機器の能力情報の一部であり、
前記報告方式は、
無線リソース制御ＲＲＣメッセージセグメンテーションの方式を採用して、前記端末機器の能力情報の全てを報告すること、又は
前記端末機器の能力情報の一部を報告することを含む、請求項１１に記載の端末機器。
【請求項１３】
報告方式に基づき、少なくとも一つのＰＤＣＰ  ＳＤＵを利用して前記端末機器の能力情報を伝送する前に、前記ネットワーク側機器によって送信される第２のメッセージを受信するための受信モジュールをさらに含み、そのうち、前記第２のメッセージは、前記報告方式を指示するための第２の情報を含む、請求項１２に記載の端末機器。
【請求項１４】
前記第１の情報は、
前記端末機器の能力情報のサイズ、
前記端末機器が無線リソース制御ＲＲＣメッセージセグメンテーションをサポートすることを指示するための情報、
前記端末機器には残りの能力情報が報告されていないことを指示するための情報、及び
残りの能力情報のサイズ、のうちの少なくとも一つを含み、そのうち、前記残りの能力情報は、前記端末機器の能力情報のうち、すでに報告された能力情報以外の能力情報である、請求項１１〜１３のいずれか１項に記載の端末機器。
【請求項１５】
ネットワーク側機器であって、
端末機器によって送信される第１のメッセージを受信するための第１の受信モジュールを含み、
そのうち、前記第１のメッセージは、前記端末機器の能力情報のサイズがパケットデータコンバージェンスプロトコルＰＤＣＰサービスデータユニットＳＤＵのサイズの最大値よりも大きいことを指示するための情報を含む、第１の情報を含む、ネットワーク側機器。
【請求項１６】
コンピュータ可読記憶媒体であって、前記コンピュータ可読記憶媒体にはプログラムが記憶されており、前記プログラムがプロセッサによって実行される時、請求項１〜５のいずれか１項に記載の端末機器の能力情報処理方法のステップを実現するか、又は請求項６〜１０のいずれか１項に記載の端末機器の能力情報処理方法のステップを実現する、コンピュータ可読記憶媒体。
【手続補正２】
【補正対象書類名】明細書
【補正対象項目名】０１５６
【補正方法】変更
【補正の内容】
【０１５６】
図８を参照して、図８は、本開示の実施例による端末機器の構造図である。図８に示すように、端末機器８００は、
端末機器の能力情報のサイズがＰＤＣＰ  ＳＤＵのサイズの最大値よりも大きい場合に、第１のメッセージをネットワーク側機器に送信するための送信モジュール８０１を含み、
そのうち、前記第１のメッセージは、前記端末機器の能力情報のサイズがＰＤＣＰ  ＳＤＵのサイズの最大値よりも大きいことを指示するための情報を含む、第１の情報を含む。
【手続補正３】
【補正対象書類名】明細書
【補正対象項目名】０１６６
【補正方法】変更
【補正の内容】
【０１６６】
本開示の実施例の端末機器８００、送信モジュール８０１は、端末機器の能力情報のサイズがＰＤＣＰ  ＳＤＵのサイズの最大値よりも大きい場合に、第１のメッセージをネットワーク側機器に送信するために用いられる。そのうち、前記第１のメッセージは、前記端末機器の能力情報のサイズがＰＤＣＰ  ＳＤＵのサイズの最大値よりも大きいことを指示するための情報を含む、第１の情報を含む。それによって、ＵＥによって報告される必要がある能力情報のサイズがＰＤＣＰ  ＳＤＵのサイズの最大値を超えている場合に、前記端末機器の能力情報のサイズがＰＤＣＰ  ＳＤＵのサイズの最大値よりも大きいことをネットワーク側機器へ指示することを実現することができる。それによって、ＵＥによって報告される必要がある能力情報のサイズがＰＤＣＰ  ＳＤＵのサイズの最大値を超えている場合に、ＵＥの能力情報に関する処理方式を規範化することができる。
【国際調査報告】
2022501963.tif 000014
2022501963.tif 000015
2022501963.tif 000016
2022501963.tif 000017